(57)【要約】【課題】スマートデバイスからＭＦＰを利用する際の利便性を向上させる。【解決手段】端末装置は、複数機種に対応し、機器の処理の設定に係る第１画面を表示させる。端末装置は、第１通信手段で、対象機器の機種の識別情報と、第２の通信手段により制御対象機器と通信するための通信情報とを対象機器から取得し、記憶部から、取得した識別情報に対応する処理情報を取得する。端末装置は、第１画面で入力された設定を、第１取得手段で取得した通信情報を用いて第２通信手段で対象機器に送信する。端末装置は、第２通信手段で取得した処理情報に、識別情報に対応する機種固有の実行可能な処理の情報が含まれている場合に、当該処理の設定に係る第２画面をさらに表示させ、第２画面で入力された設定を、第１取得手段で取得した通信情報に基づいて第２通信手段で制御対象の機器にさらに送信する。【選択図】図１６
2015159533.tif 000002
【特許請求の範囲】
【請求項１】
複数の機種の機器と接続可能な端末装置であって、
前記複数の機種に対応し、前記機器の処理に対する第１の設定を受け付けるための第１の画面を表示部に表示させる表示制御手段と、
第１の通信手段により、制御対象の機器の機種が前記複数の機種のうち何れであるかを識別する識別情報と、該第１の通信手段とは異なる第２の通信手段により該制御対象の機器と通信を行うための通信情報とを該制御対象の機器から取得する第１の取得手段と、
１以上の機種について、少なくとも機種において実行可能な処理に対する情報を示す処理情報を該機種を識別する識別情報に関連付けて記憶する記憶部から、前記第１の取得手段で取得した識別情報に関連付けられた該処理情報を取得する第２の取得手段と、
前記表示部に表示された前記第１の画面に応じて受け付けた前記第１の設定を示す情報を、前記第１の取得手段で取得した前記通信情報に基づいて前記第２の通信手段により前記制御対象の機器に送信する送信手段と
を有し、
前記表示制御手段は、
前記第２の取得手段により取得された前記処理情報に、該処理情報に関連付けられた前記識別情報により識別される機種に固有の実行可能な処理に対する情報が含まれている場合に、該固有の実行可能な処理に対する第２の設定を受け付けるための第２の画面を前記表示部にさらに表示させ、
前記送信手段は、
前記第２の画面に応じて受け付けた前記第２の設定を示す情報を、前記第１の取得手段で取得した前記通信情報に基づいて前記第２の通信手段により前記制御対象の機器にさらに送信する
ことを特徴とする端末装置。
【請求項２】
前記第１の取得手段は、
前記記憶部に、前記第１の通信手段により取得された前記識別情報が記憶されていない場合に、該識別情報と該識別情報に対応する機器情報とを前記第２の通信手段により前記制御対象の機器から取得する
ことを特徴とする請求項１に記載の端末装置。
【請求項３】
前記表示制御手段は、
前記第１の取得手段により前記制御対象の機器から前記識別情報を取得する際に、前記表示部に前記第１の画面を予め表示させる
ことを特徴とする請求項１または請求項２に記載の端末装置。
【請求項４】
端末装置と画像可視化装置と通信装置とを含む画像処理システムであって、
前記通信装置は、
少なくとも前記画像可視化装置の機種を識別する識別情報を記憶する第１の記憶手段と、
他の装置と第１の通信経路で通信を行う第３の通信手段と
を備え、
前記画像可視化装置は、
少なくとも画像データに従い画像を可視化する機能を実行する機能実行手段と、
他の装置との間で前記第１の通信経路とは異なる第２の通信経路で通信を行う第４の通信手段と
を備え、
前記端末装置は、
前記画像可視化装置の複数の機種に対応し、前記画像可視化装置の処理に対する第１の設定を受け付けるための第１の画面を表示部に表示させる表示制御手段と、
制御対象の機器の機種が前記複数の機種のうち何れであるかを識別する識別情報と、前記第２の通信経路により該接続対象の機器と通信を行うための通信情報とを該接続対象の機器から前記第１の通信経路により取得する第１の取得手段と、
１以上の機種について、少なくとも機種において実行可能な処理に対する情報を示す処理情報を該機種を識別する識別情報に関連付けて記憶する記憶部から、前記第１の取得手段で取得した識別情報に関連付けられた該処理情報を取得する第２の取得手段と、
前記表示部に表示された前記第１の画面に応じて受け付けた前記第１の設定を示す情報を、前記第１の取得手段で取得した前記通信情報に基づいて前記第２の通信経路により前記制御対象の機器に送信する送信手段と
を有し、
前記表示制御手段は、
前記第２の取得手段により取得された前記処理情報に、該処理情報に関連付けられた前記識別情報により識別される機種に固有の実行可能な処理に対する情報が含まれている場合に、該固有の実行可能な処理に対する第２の設定を受け付けるための第２の画面を前記表示部にさらに表示させ、
前記送信手段は、
前記第２の画面に応じて受け付けた前記第２の設定を示す情報を、前記第１の取得手段で取得した前記通信情報に基づいて前記第２の通信経路により前記制御対象の機器にさらに送信する
ことを特徴とする画像処理システム。
【請求項５】
前記通信装置は、
前記画像可視化装置に装着するように構成され、
前記第１の記憶手段は、
少なくとも、装着された前記画像可視化装置の機種を識別する前記識別情報を記憶する
ことを特徴とする請求項４に記載の画像処理システム。
【請求項６】
前記通信装置は、前記画像可視化装置に含まれて構成され、
前記第１の記憶手段は、
少なくとも、当該通信装置を含む前記画像可視化装置を識別する前記識別情報を記憶する
ことを特徴とする請求項４に記載の画像処理システム。
【請求項７】
画像処理システムに含まれる画像可視化装置の制御方法であって、
前記画像可視化装置の複数の機種に対応し、前記画像可視化装置の処理に対する第１の設定を受け付けるための第１の画面を表示部に表示させる表示制御ステップと、
第１の通信手段により、制御対象の画像可視化装置の機種が前記複数の機種のうち何れであるかを識別する識別情報と、該第１の通信手段とは異なる第２の通信手段により該制御対象の画像可視化装置と通信を行うための通信情報とを該接続対象の画像可視化装置から取得する第１の取得ステップと、
１以上の機種について、少なくとも機種において実行可能な処理に対する情報を示す処理情報を該機種を識別する識別情報に関連付けて記憶する記憶部から、前記第１の取得ステップにより取得した識別情報に関連付けられた該処理情報を取得する第２の取得ステップと、
前記表示部に表示された前記第１の画面に応じて受け付けた前記第１の設定を示す情報を、前記第１の取得ステップにより取得した前記通信情報に基づいて前記第２の通信手段により前記制御対象の画像可視化装置に送信する送信ステップと
を有し、
前記表示制御ステップは、
前記第２の取得ステップにより取得された前記処理情報に、該処理情報に関連付けられた前記識別情報により識別される機種に固有の実行可能な処理に対する情報が含まれている場合に、該固有の実行可能な処理に対する第２の設定を受け付けるための第２の画面を前記表示部にさらに表示させ、
前記送信ステップは、
前記第２の画面に応じて受け付けた前記第２の設定を示す情報を、前記第１の取得ステップにより取得した前記通信情報に基づいて前記第２の通信手段により前記制御対象の画像可視化装置にさらに送信する
ことを特徴とする画像可視化装置の制御方法。
【請求項８】
画像処理システムに含まれる画像可視化装置の制御方法をコンピュータに実行させるためのプログラムであって、
前記制御方法は、
前記画像可視化装置の複数の機種に対応し、前記画像可視化装置の処理に対する第１の設定を受け付けるための第１の画面を表示部に表示させる表示制御ステップと、
第１の通信手段により、制御対象の画像可視化装置の機種が前記複数の機種のうち何れであるかを識別する識別情報と、該第１の通信手段とは異なる第２の通信手段により該制御対象の画像可視化装置と通信を行うための通信情報とを該接続対象の画像可視化装置から取得する第１の取得ステップと、
１以上の機種について、少なくとも機種において実行可能な処理に対する情報を示す処理情報を該機種を識別する識別情報に関連付けて記憶する記憶部から、前記第１の取得ステップにより取得した識別情報に関連付けられた該処理情報を取得する第２の取得ステップと、
前記表示部に表示された前記第１の画面に応じて受け付けた前記第１の設定を示す情報を、前記第１の取得ステップにより取得した前記通信情報に基づいて前記第２の通信手段により前記制御対象の画像可視化装置に送信する送信ステップと
を有し、
前記表示制御ステップは、
前記第２の取得ステップにより取得された前記処理情報に、該処理情報に関連付けられた前記識別情報により識別される機種に固有の実行可能な処理に対する情報が含まれている場合に、該固有の実行可能な処理に対する第２の設定を受け付けるための第２の画面を前記表示部にさらに表示させ、
前記送信ステップは、
前記第２の画面に応じて受け付けた前記第２の設定を示す情報を、前記第１の取得ステップにより取得した前記通信情報に基づいて前記第２の通信手段により前記制御対象の画像可視化装置にさらに送信する
ことを特徴とするプログラム。
【発明の詳細な説明】
【技術分野】
【０００１】
本発明は、無線通信を介して画像形成を行う端末装置、画像処理システム、画像可視化装置の制御方法およびプログラムに関する。
【背景技術】
【０００２】
近年では、タッチパネルと無線による通信手段とを備え、携帯容易に構成された情報処理装置としての携帯端末が普及している。このような携帯端末としては、電話機能を備える多機能電話端末（スマートフォン）や、情報処理に重点を置いたタブレット型コンピュータなどを含む。以下、このような携帯端末を、スマートデバイスと呼ぶ。スマートデバイスでは、無線通信手段として、ＩＣ(Integrated  Circuit)タグを用いた近距離無線通信や、近距離無線通信よりも高速且つ遠距離での通信が可能な無線ＬＡＮ(Local  Area  Network)が用いられる。
【０００３】
一方、従来から、画像データを可視化する機能を持つ画像可視化装置の１つとして、プリンタ機能、スキャナ機能、コピー機能およびＦＡＸ機能など複数の機能を１の筐体で実現するＭＦＰ(Multi  Function  Printer)が知られている。また、このＭＦＰの機能をスマートデバイスから利用するために、近距離無線通信と無線ＬＡＮとを組み合わせてＭＦＰとスマートデバイスとを接続する技術が知られている。
【０００４】
例えば、スマートデバイスは、先ず、近距離無線通信を用いて、ＭＦＰから、無線ＬＡＮによるネットワーク接続を行うための接続情報を取得する。そして、スマートデバイスは、ＭＦＰから取得した接続情報に基づきＭＦＰとの無線ＬＡＮによる通信を確立し、ＭＦＰとの間で、設定情報や印刷情報を無線ＬＡＮによるネットワークを介して通信する。
【０００５】
特許文献１には、携帯電話と通信するＮＦＣ(Near  field  communication)タグや無線送受信部を備え、携帯電話との通信確立を開始した時点において選択が受け付けられている画像処理の種類を示す情報を携帯電話に送信し、この情報に応じて携帯電話から送信された実行指示情報に基づいた画像処理を行うようにしたＭＦＰが開示されている。特許文献１によれば、スマートデバイス（携帯電話）からＭＦＰの機能を利用する際に、ＭＦＰ側で選択した機能や設定値をユーザがスマートデバイス上で再設定する手間が省かれ、ユーザの操作性が向上される。
【発明の概要】
【発明が解決しようとする課題】
【０００６】
ところで、機種の異なるＭＦＰにおいて、使用する機能の設定値として設定可能な項目が機種毎に異なっている場合がある。この場合、従来では、スマートデバイスは、上述したように、近距離無線通信によりＭＦＰとの間でネットワークの接続情報をやりとりして無線ＬＡＮによるネットワーク接続を確立した後に、ＭＦＰに対する各種設定を実行していた。そのため、ネットワーク接続確立に長時間を要する場合、ユーザは、ＭＦＰの機能の利用が開始可能となるまで待機する必要があり、利便性に問題があった。
【０００７】
また、特許文献１では、ＭＦＰで利用する機能の設定値として設定可能な項目が各ＭＦＰで異なっている場合に、ユーザの携帯電話から簡単に設定する方法が開示されていない。したがって、特許文献１においても、スマートデバイス（携帯電話）からＭＦＰを利用する際の利便性に問題がある点については、解消できていない。
【０００８】
本発明は、上記に鑑みてなされたものであって、スマートデバイスから画像可視化装置を利用する際の利便性を向上させることを目的とする。
【課題を解決するための手段】
【０００９】
上述した課題を解決し、目的を達成するために、本発明は、複数の機種の機器と接続可能な端末装置であって、複数の機種に対応し、機器の処理に対する第１の設定を受け付けるための第１の画面を表示部に表示させる表示制御手段と、第１の通信手段により、制御対象の機器の機種が複数の機種のうち何れであるかを識別する識別情報と、第１の通信手段とは異なる第２の通信手段により制御対象の機器と通信を行うための通信情報とを制御対象の機器から取得する第１の取得手段と、１以上の機種について、少なくとも機種において実行可能な処理に対する情報を示す処理情報を機種を識別する識別情報に関連付けて記憶する記憶部から、第１の取得手段で取得した識別情報に関連付けられた処理情報を取得する第２の取得手段と、表示部に表示された第１の画面に応じて受け付けた第１の設定を示す情報を、第１の取得手段で取得した通信情報に基づいて第２の通信手段により制御対象の機器に送信する送信手段とを有し、表示制御手段は、第２の取得手段により取得された処理情報に、処理情報に関連付けられた識別情報により識別される機種に固有の実行可能な処理に対する情報が含まれている場合に、固有の実行可能な処理に対する第２の設定を受け付けるための第２の画面を表示部にさらに表示させ、送信手段は、第２の画面に応じて受け付けた第２の設定を示す情報を、第１の取得手段で取得した通信情報に基づいて第２の通信手段により制御対象の機器にさらに送信することを特徴とする。
【発明の効果】
【００１０】
本発明によれば、スマートデバイスから画像可視化装置を利用する際の利便性を向上させることができるという効果を奏する。
【図面の簡単な説明】
【００１１】
【図１】図１は、第１の実施形態に係る画像処理システムを概略的に示す図である。
【図２】図２は、第１の実施形態に係るＭＦＰの機能を説明するための一例の機能ブロック図である。
【図３】図３は、第１の実施形態に係る機器性能情報の例を示す図である。
【図４】図４は、第１の実施形態に係る通信情報の例を示す図である。
【図５】図５は、第１の実施形態に係るスマートデバイスの機能を説明するための一例の機能ブロック図である。
【図６】図６は、第１の実施形態に係るＭＦＰのハードウェア構成の例を示すブロック図である。
【図７】図７は、第１の実施形態に係るスマートデバイスのハードウェア構成の例を示すブロック図である。
【図８】図８は、第１の実施形態に係るスマートデバイスにおける一例の処理のフローチャートを示す図である。
【図９】図９は、第１の実施形態に係る、ＭＦＰの機能を選択するための機能選択画面の例を示す図である。
【図１０】図１０は、第１の実施形態に係る共通項目設定画面の例を示す図である。
【図１１】図１１は、第１の実施形態に係る、近距離無線通信の開始を促す操作ガイド画面の例を示す図である。
【図１２】図１２は、第１の実施形態に係るアラート表示の例を示す図である。
【図１３】図１３は、第１の実施形態に係る固有項目設定画面の例を示す図である。
【図１４】図１４は、第１の実施形態に係るスマートデバイスとＭＦＰとの接続処理の概要について説明するための図である。
【図１５】図１５は、第１の実施形態に係る、スマートデバイスとＭＦＰとがネットワークを介した接続を行う際の一例のシーケンス図である。
【図１６】図１６は、第１の実施形態に係る処理を説明するためのシーケンス図である。
【図１７】図１７は、第１の実施形態の第１の変形例に係る処理を説明するためのシーケンス図である。
【図１８】図１８は、第１の実施形態に係るスマートデバイスにおけるソフトウェアのアーキテクチャの例を示す図である。
【図１９】図１９は、第２の実施形態に係るＭＦＰの機能を説明するための一例の機能ブロック図である。
【図２０】図２０は、第２の実施形態に係るＭＦＰのハードウェア構成の例を示すブロック図である。
【図２１】図２１は、第２の実施形態に係る近距離通信用記憶領域に記憶される情報の例を示す図である。
【図２２】図２２は、第２の実施形態に係る通信処理の例を示すシーケンス図である。
【図２３】図２３は、第２の実施形態に係るアラート表示の例を示す図である。
【図２４】図２４は、第３の実施形態に係る画像処理システムを概略的に示す図である。
【図２５】図２５は、第３の実施形態に係るプロジェクタのハードウェア構成の例を示すブロック図である。
【図２６】図２６は、第３の実施形態に係るプロジェクタの機能を説明するための機能ブロック図である。
【図２７】図２７は、第３の実施形態に係る機器性能情報の例を示す図である。
【図２８】図２８は、第３の実施形態に係るスマートデバイスのハードウェア構成の例を示すブロック図である。
【図２９】図２９は、第３の実施形態に係るスマートデバイスの機能を示す一例の機能ブロック図である。
【図３０】図３０は、第３の実施形態に係るスマートデバイスにおける一例の処理を示すフローチャートである。
【図３１】図３１は、第３の実施形態に係る共通項目設定画面の例を示す図である。
【図３２】図３２は、第３の実施形態に係る、近距離無線通信の開始を促す操作ガイド画面の例を示す図である。
【図３３】図３３は、第３の実施形態に係るアラート表示の例を示す図である。
【図３４】図３４は、第３の実施形態に係る共通項目設定画面の例を示す図である。
【図３５】図３５は、第３の実施形態に係る、投射位置選択画面の例を示す図である。
【図３６】図３６は、第４の実施形態に係るプロジェクタのハードウェア構成の例を示すブロック図である。
【図３７】図３７は、第４の実施形態に係るプロジェクタの機能を説明するための機能ブロック図である。
【発明を実施するための形態】
【００１２】
以下に添付図面を参照して、端末装置、画像処理システム、画像可視化装置の制御方法およびプログラムの実施形態を詳細に説明する。
【００１３】
（第１の実施形態）
図１は、第１の実施形態に係る画像処理システムを概略的に示す。図１において、第１の実施形態に係る画像処理システムは、ＭＦＰ(Multi  Function  Printer)１０と、スマートデバイス２０とを含む。
【００１４】
ＭＦＰ１０は、プリント機能１１、コピー機能１２、スキャナ機能１３およびＦＡＸ機能１４といった複数の機能を１の筐体で実現した画像形成装置である。ＭＦＰ１０は、プリント機能１１を利用して、外部から供給された画像データや、スキャナ機能１３により原稿を読み取って取得された画像データを用紙などの画像形成媒体上に画像として形成し、当該画像データを可視化する機能を有する画像可視化装置である。
【００１５】
スマートデバイス２０は、タッチパネルと、無線により第１の通信経路で通信を行う通信手段とを備え、携帯容易に構成された情報処理端末装置である。スマートデバイス２０は、電話機能をさらに備える多機能電話端末（スマートフォン）や、情報処理に重点を置いたタブレット型コンピュータなどを含む。スマートデバイス２０は、タッチパネルを利用してユーザに対する情報の提示およびユーザによる操作入力を受け付けるＵＩ(User  Interface)２１を含む。
【００１６】
ＭＦＰ１０は、ＬＡＮ(Local  Area  Network)などによるネットワーク３０に対して、有線または無線にて通信可能に接続される。また、スマートデバイス２０は、無線ＬＡＮのような無線通信により、ネットワーク３０に接続される。以下では、ネットワーク３０は、通信プロトコルとしてＴＣＰ／ＩＰ(Transmission  Control  Protocol/Internet  Protocol)を用いているものとして説明を行う。
【００１７】
スマートデバイス２０は、さらに、例えば１０ｃｍ程度の極短距離通信エリアとした無線通信である近距離無線通信を行う近距離無線通信手段を第１の通信手段として備える。また、この近距離無線通信手段は、ＭＦＰ１０にも設けられる。スマートデバイス２０は、ＭＦＰ１０に設けられた近距離無線通信手段との間で、近距離無線通信を行うことができる。すなわち、スマートデバイス２０は、他の装置と通信を行うための通信経路として、上述した第１の通信経路と、この近距離無線通信手段による第２の通信経路とを備える。
【００１８】
第１の実施形態では、記憶部と、近距離無線通信を行う近距離無線接続部とを備えるＩＣ(Integrated  Circuit)タグを、近距離無線通信手段としてＭＦＰ１０の筐体に貼付して装着する。ユーザがスマートデバイス２０をＭＦＰ１０のＩＣタグの位置にかざすことで、スマートデバイス２０とＩＣタグとの間で近距離無線通信が行われ、例えばＩＣタグの記憶部に記憶された情報をスマートデバイス２０から読み出すことができる。
【００１９】
スマートデバイス２０は、例えば、半径１０ｃｍ程度の磁界を常に発生しており、スマートデバイス２０がＭＦＰ１０のＩＣタグの位置にかざされてＩＣタグがこの磁界の中に入ると、ＩＣタグの内部に設けられたコイルが磁界を受けて電流を発生する。そして、ＩＣタグに埋め込まれた集積回路がこの電流を利用してスマートデバイス２０との通信を行う。この通信は、例えば、ＩＳＯ／ＩＥＣ１４４４３規格などに準拠しており、この場合、１３．５６ＭＨｚの周波数帯を利用して、ＩＣタグ内に設けられた記憶部に記憶された情報をスマートデバイス２０に送信する。
【００２０】
このような構成において、ＭＦＰ１０が備える近距離無線通信手段が読み出し可能な記憶部に対して、ＭＦＰ１０の機種を識別可能な識別情報である機種ＩＤと、スマートデバイス２０がネットワーク３０を介してＭＦＰ１０と通信を行うために用いる通信情報とを予め記憶させておく。また、スマートデバイス２０は、スマートデバイス２０が備える記憶部に、ＭＦＰ１０の設定可能な機器性能情報を、１以上の機種のＭＦＰ１０について、機種ＩＤと関連付けて予め記憶する。
【００２１】
スマートデバイス２０からＭＦＰ１０の機能を利用する場合、ユーザは、スマートデバイス２０をＭＦＰ１０の近距離無線通信に対応する部位（例えばＩＣタグ位置）にかざす。スマートデバイス２０は、ＭＦＰ１０の近距離無線通信手段と通信を行い、ＭＦＰ１０から、当該近距離無線通信手段が読み出し可能な記憶部に記憶される機種ＩＤおよび通信情報を取得する。
【００２２】
スマートデバイス２０は、ＭＦＰ１０から近距離無線通信により取得した通信情報を用いて、第２の通信手段としてネットワーク３０を介した通信をＭＦＰ１０との間で行う。スマートデバイス２０は、ネットワーク３０を介したこの通信により、ＭＦＰ１０に対して印刷データや各機能の実行指示を送信することができる。これにより、スマートデバイス２０からＭＦＰ１０の各機能を利用することができる。
【００２３】
さらに、スマートデバイス２０は、スマートデバイス２０が備える記憶部に複数機種のＭＦＰ１０の機器性能情報が記憶されている場合、記憶されている機器性能情報に基づき当該複数機種のＭＦＰ１０に共通の機器性能情報を抽出する。また、スマートデバイス２０は、ＭＦＰ１０から近距離無線通信により取得した機種ＩＤに関連付けられた機器性能情報を、スマートデバイス２０が備える記憶部から読み出す。スマートデバイス２０は、当該記憶部から読み出した機器性能情報が、複数機種のＭＦＰ１０に共通の機器性能情報に含まれない、固有の項目の機器性能情報を含んでいる場合、当該固有の項目の機器性能情報を、スマートデバイス２０のＵＩ２１に表示させる。
【００２４】
この固有項目の機器性能情報のＵＩ２１への表示は、スマートデバイス２０とＭＦＰ１０との間のネットワーク３０を介した通信が確立していない状態で行うことが可能である。そのため、ユーザは、スマートデバイス２０とＭＦＰ１０との間のネットワーク３０を介した通信の確立を待たずに、対象のＭＦＰ１０に固有な機能を確認することができる。
【００２５】
（第１の実施形態に係る構成）
図２は、第１の実施形態に係るＭＦＰ１０の機能を説明するための一例の機能ブロック図である。図２において、ＭＦＰ１０は、全体制御部１００と、ネットワーク接続部１０１とを備える。ＭＦＰ１０は、さらに、ＭＦＰ１０の各機能を実現するための機能部の例として、プリント機能部１１１と、コピー機能部１１２と、スキャナ機能部１１３と、ＦＡＸ機能部１１４とを備える。なお、ＭＦＰ１０の機能は、図２に示す各機能に限られない。
【００２６】
全体制御部１００は、例えばＣＰＵ(Central  Processing  Unit)、ＲＯＭ(Read  Only  Memory)およびＲＡＭ(Random  Access  Memory)を備え、ＣＰＵがＲＯＭに予め記憶されたプログラムに従い、ＲＡＭをワークメモリとして用いて、このＭＦＰ１０の全体の動作を制御する。例えば、プリント機能部１１１、コピー機能部１１２、スキャナ機能部１１３およびＦＡＸ機能部１１４は、全体制御部１００の指示に従い動作する。ネットワーク接続部１０１は、有線または無線通信によるネットワーク３０への接続を制御する。機器性能情報１０４は、当該ＭＦＰ１０が実行可能な機能名およびその機能を実現するためのパラメータを含み、ＲＯＭなどに予め記憶される。
【００２７】
近距離無線接続部１０２および記憶部１０３は、第１の実施形態に係るＭＦＰ１０においては、ＭＦＰ１０に対する外部装置として構成される。例えば、近距離無線接続部１０２および記憶部１０３は、ＩＣタグ内に設けられ、ＭＦＰ１０の筐体に対して貼付あるいは取り付けられる。
【００２８】
記憶部１０３は、スマートデバイス２０が当該ＭＦＰ１０とネットワーク３０を介した通信を行う際に用いる通信情報１０５が予め記憶される。近距離無線接続部１０２は、近距離無線通信により受信した要求に従い記憶部１０３から通信情報１０５を読み出し、この通信情報１０５を近距離無線通信の通信相手に送信することができる。
【００２９】
図３は、第１の実施形態に係る機器性能情報１０４の例を示す。図３において、機器性能情報１０４は、当該ＭＦＰ１０の各機能（プリント機能、スキャナ機能、…）について、設定可能な性能情報が、このＭＦＰ１０の機種を識別するための識別情報である機種ＩＤと関連付けられて示される。この設定可能な性能情報は、ＭＦＰ１０の機種毎の情報である。そのため、設定可能な性能情報は、ＭＦＰ１０の機種によって異なる場合がある。
【００３０】
図３の例では、機能性能情報１０４は、プリント機能については、設定可能な項目として「用紙サイズ」、「カラー／白黒」、「文書蓄積」、「２色印刷」、…の各項目が定義される。同様に、スキャナ機能についても、設定可能な項目として「解像度」、「カラー／白黒」、「読み取りサイズ」、…の各項目が定義される。
【００３１】
図４は、第１の実施形態に係る通信情報１０５の例を示す。図４の例では、通信情報１０５は、「ＳＳＩＤ」、「暗号化方式」、「パスワード」、「ＩＰアドレス」、「ＨＴＴＰポート番号」、「ＨＴＴＰＳポート番号」および「機種ＩＤ」の各項目を含む。
【００３２】
通信情報１０５が含む各項目のうち、項目「ＳＳＩＤ(Service  Set  Identifier)」は、接続するネットワーク３０を特定するための識別情報（ＳＳＩＤ）が示される。項目「暗号化方式」は、接続するネットワーク３０で用いられる暗号化方式が示される。また、項目「パスワード」は、接続するネットワーク３０においてスマートデバイス２０が認証を受けるために用いるパスワードが示される。
【００３３】
スマートデバイス２０は、これら項目「ＳＳＩＤ」、「暗号化方式」および「パスワード」に示される各値を通信設定として設定することで、ネットワーク３０に対する通信が可能となる。
【００３４】
項目「ＩＰ(Internet  Protocol)アドレス」は、ＭＦＰ１０のネットワーク３０上でのアドレス（ＩＰアドレス）が示される。ＨＴＴＰ(Hypertext  Transfer  Protocol)ポート番号は、ネットワーク３０を介してＭＦＰ１０の機能を利用する際の通信を行うための、ＭＦＰ１０側の通信ポートの番号が示される。ＨＴＴＰＳ(Hypertext  Transfer  Protocol  Secure)ポート番号は、ネットワーク３０を介してＭＦＰ１０の機能を利用する際の通信を、転送するデータパケットを暗号化して行う場合のＭＦＰ１０側の通信ポートの番号が示される。
【００３５】
このように、第１の実施形態では、ＭＦＰ１０をネットワーク３０を介して利用する場合には、ＨＴＴＰをプロトコルとして用いてＭＦＰ１０に対する通信を行う。これはこの例に限定されず、ＭＦＰ１０をネットワーク３０を介して利用する際のポート番号を、例えばＬＰＲ(Line  PRinter  daemon  protocol)ポートや標準ＴＣＰ／ＩＰ(Transmission  Control  Protocol/Internet  Protocol)ポートといった他のポート番号としてもよい。
【００３６】
近距離通信接続部１０２および記憶部１０３を含むＩＣタグを用いる場合、これら各項目「ＩＰアドレス」、「ＨＴＴＰポート番号」および「ＨＴＴＰＳポート番号」は、当該ＩＣタグが貼付されるＭＦＰ１０における各値が格納される。例えばスマートデバイス２０側において、項目「ＩＰアドレス」と、項目「ＨＴＴＰポート番号」および項目「ＨＴＴＰＳポート番号」のうち何れか一方とを設定することで、ＭＦＰ１０とネットワーク３０を介した通信を行い、当該通信によってＭＦＰ１０の機能を利用することが可能となる。
【００３７】
項目「機種ＩＤ」は、ＭＦＰ１０の機種を特定するための識別情報を示す。機種ＩＤは、ＭＦＰ１０が有する機器性能情報１０４に関連付けられる機種ＩＤと同一の値が用いられる。
【００３８】
図５は、第１の実施形態に係るスマートデバイス２０の機能を説明するための一例の機能ブロック図である。図５において、スマートデバイス２０は、全体制御部２００と、ネットワーク接続部２０１と、近距離無線接続部２０２と、記憶部２０３と、ＵＩ部２１０とを含む。
【００３９】
全体制御部２００は、例えばＣＰＵ、ＲＯＭおよびＲＡＭを備え、ＣＰＵが、ＲＯＭに予め記憶されたプログラムに従い、ＲＡＭをワークメモリとして用いて、このスマートデバイス２０の全体の動作を制御する。
【００４０】
ネットワーク接続部２０１は、無線通信によるネットワーク３０への接続を制御する。近距離無線接続部２０２は、近距離無線による通信を制御する。例えば、近距離無線接続部２０２は、ＭＦＰ１０が備える近距離無線接続部１０２と近距離無線通信により接続し、記憶部１０３に記憶される通信情報１０５を取得する。
【００４１】
記憶部２０３は、例えば不揮発性の半導体メモリからなり、機器性能情報データベース（ＤＢ）２０４を記憶する。機器性能情報ＤＢ２０４は、１以上の機種のＭＦＰ１０それぞれの機器性能情報１０４が、機種ＩＤと関連付けられて記憶される。
【００４２】
ＵＩ部２１０は、全体制御部２００の指示に従い、例えばタッチパネルを用いて、ユーザに対する情報の提示と、ユーザ操作の受け付けを行う。第１の実施形態においては、ＵＩ部２１０は、ＭＦＰ１０の機能を選択するためのメニュー画面や、選択された機能に対する各種設定を行うための設定画面をユーザに提示する、表示制御手段として機能する。
【００４３】
図６は、第１の実施形態に係るＭＦＰ１０のハードウェア構成の例を示す。図６において、ＭＦＰ１０は、ＣＰＵ１０００と、ＲＯＭ１００１と、ＲＡＭ１００２と、外部Ｉ／Ｆ１００３と、操作部Ｉ／Ｆ１００４と、通信Ｉ／Ｆ１００５と、ハードディスクドライブ（ＨＤＤ）１０２０とを備える。さらに、ＭＦＰ１０は、ＭＦＰ１０の各機能を実行するための構成を備える。ＭＦＰ１０がプリント機能、コピー機能、スキャナ機能およびＦＡＸ機能を有するこの例では、ＭＦＰ１０は、各機能を実行するための構成として、画像処理・エンジン制御部１０３０と、画像読取部１０３１と、プロッタ部１０３２と、ＦＡＸ部１０３３とを有する。また、ＭＦＰ１０が有する上述した各部は、バス１０１０および１０１１により互いに通信可能に接続されている。
【００４４】
ＣＰＵ１０００は、例えば、ＲＯＭ１００１に予め記憶されたプログラムに従い、ＲＡＭ１００２をワークメモリとして用い、このＭＦＰ１０の全体の動作を制御する。ＨＤＤ１０２０は、ＣＰＵ１０００が動作するためのプログラムやデータが記憶される。上述した機器性能情報１０４は、ＨＤＤ１０２０に予め記憶される。機器性能情報１０４をＲＯＭ１００１に記憶しておいてもよい。
【００４５】
操作部Ｉ／Ｆ１００４は、ユーザ操作を受け付ける操作子と、ユーザに情報を提示するための表示部を備えた操作部１０４０が接続される。操作子は、接触した位置に応じた信号を出力するようにしたタッチパネルを用いることができ、当該タッチパネルと表示部とを一体的に構成することができる。操作部Ｉ／Ｆ１００４は、操作部１０４０からユーザ操作に応じて出力された信号を、ＣＰＵ１０００が対応可能な制御信号に変換して出力する。また、操作部Ｉ／Ｆ１００４は、ＣＰＵ１０００から供給された表示制御信号から表示用の信号を生成し、操作部１０４０の表示部に対して、表示制御信号に応じた画面を表示させる。
【００４６】
通信Ｉ／Ｆ１００５は、ＣＰＵ１０００の命令に従い、ネットワーク３０に対する通信を制御する。外部Ｉ／Ｆ１００３は、例えばＵＳＢ(Universal  Serial  Bus)インターフェイスといった、外部機器を接続するためのインターフェイスである。ＭＦＰ１０は、通信Ｉ／Ｆ１００５や外部Ｉ／Ｆ１００３を介して、各機能を利用するためのデータ、例えばプリント機能で用いる印刷データやＦＡＸ機能で用いるＦＡＸ送信用データの受信、ならびに、スキャン機能で取得した画像データの送信などを行うことができる。
【００４７】
画像読取部１０３１は、ＣＣＤ(Charge  Coupled  Device)といった光電変換素子を用いて原稿データの画像を読み取り、画像データを出力する。プロッタ部１０３２は、インクジェット方式や電子写真方式といった画像形成方式を用いて、画像データに基づき媒体に画像を形成する。
【００４８】
画像処理・エンジン制御部１０３０は、ＣＰＵ１０００の命令に従い画像読取部１０３１およびプロッタ部１０３２の動作を制御する。また、画像処理・エンジン制御部１０３０は、ＣＰＵ１０００の命令に従い、画像読取部１０３１で読み取られた画像データに所定の画像処理を施してバス１０１１に対して出力する。さらに、画像処理・エンジン制御部１０３０は、バス１０１１を介して供給された画像データに所定の画像処理を施してプロッタ部１０３２に供給する。ＦＡＸ部１０３３は、例えば公衆電話回線に接続され、ＣＰＵ１０００の命令に従い、バス１０１１を介して供給された画像データのＦＡＸ送信処理を行う。
【００４９】
ＮＦＣ(Near  field  communication)チップ１０４１は、上述した、近距離無線通信の機能を有するＩＣタグであって、それぞれ近距離無線接続部１０２および記憶部１０３に対応する、近距離無線通信を行う通信部とメモリとを内蔵する。ＮＦＣチップ１０４１は、内蔵するメモリに、機器性能情報１０４と通信情報１０５とを予め記憶する。ＮＦＣチップ１０４１は、ＭＦＰ１０に対する外部装置であって、例えばＭＦＰ１０に貼付される。ＮＦＣチップ１０４１がＭＦＰ１０に貼付される位置は、特に限定されないが、スマートデバイス２０との間での近距離無線通信が容易な位置に貼付すると、好ましい。
【００５０】
図７は、第１の実施形態に係るスマートデバイス２０のハードウェア構成の例を示す。スマートデバイス２０は、ＣＰＵ２０００と、ＲＯＭ２００１と、ＲＡＭ２００２と、外部Ｉ／Ｆ２００３と、操作部２００４と、通信Ｉ／Ｆ２００５と、ＮＦＣ通信部２００６と、ストレージ２００７とを有し、これら各部がバス２０１０により互いに通信可能に接続されている。
【００５１】
ＣＰＵ２０００は、例えば、ＲＯＭ２００１に予め記憶されたプログラムに従い、ＲＡＭ２００２をワークメモリとして用い、このスマートデバイス２０の全体の動作を制御する。図５を用いて説明した全体制御部２００、ネットワーク接続部２０１、近距離無線接続部２０２およびＵＩ部２１０の各機能は、ＣＰＵ２０００で動作するプログラムにより実現される。
【００５２】
外部Ｉ／Ｆ２００３は、例えばＵＳＢインターフェイスといった、外部機器を接続するためのインターフェイスである。
【００５３】
操作部２００４は、表示部とユーザ操作を受け付ける入力部とを備え、ＣＰＵ２０００の命令に基づくＵＩ部２１０の制御に従い、表示部に対して情報を表示し、入力部に対してなされた入力操作に応じた制御信号を出力する。なお、操作部２００４は、表示部として例えばＬＣＤ(Liquid  Crystal  Display)、入力部としてタッチパネルを適用することができ、表示部と入力部とが一体的に構成される。
【００５４】
通信Ｉ／Ｆ２００５は、ＣＰＵ２０００の命令に基づくネットワーク接続部２０１の制御に従い、ネットワーク３０を介した通信を行う。ＮＦＣ通信部２００６は、ＣＰＵ２０００の命令に基づく近距離無線接続部２０２の制御に従い、近距離無線通信を行う。
【００５５】
ストレージ２００７は、例えば不揮発の半導体メモリからなり、各種データを記憶することができる。ストレージ２００７は、ＣＰＵ２０００が動作するためのプログラムを記憶してもよい。
【００５６】
上述した全体制御部２００、ネットワーク接続部２０１、近距離無線接続部２０２およびＵＩ部２１０の各機能を実現するための、第１の実施形態に係るプログラムは、ＲＯＭ２００１に予め記憶される例に限らず、例えばインターネットなどの通信ネットワークに接続されたコンピュータ上に格納し、通信ネットワーク経由でダウンロードさせることにより提供するように構成してもよい。また、当該プログラムを、インターネットなどの通信ネットワーク経由で提供または配布するように構成してもよい。
【００５７】
さらに、当該プログラムは、例えばインストール可能な形式または実行可能な形式のファイルでＣＤ、ＤＶＤなどのコンピュータで読み取り可能な記録媒体に記録して提供してもよい。
【００５８】
この第１の実施形態に係るプログラムは、例えば、上述した各部（全体制御部２００、ネットワーク接続部２０１、近距離無線接続部２０２およびＵＩ部２１０）を含むモジュール構成となっており、実際のハードウェアとしては、ＣＰＵ２０００がＲＯＭ２００１から当該プログラムを読み出して実行することにより上記各部が主記憶装置（例えばＲＡＭ２００２）上にロードされ、各部が主記憶装置上に生成されるようになっている。
【００５９】
（第１の実施形態に係る処理）
次に、第１の実施形態に係る処理について、より具体的に説明する。図８は、第１の実施形態に係るスマートデバイス２０における一例の処理のフローチャートを示す。ここでは、ユーザが、あるＭＦＰ１０の機能を、ユーザが保有するスマートデバイス２０から利用する場合の例について説明する。なお、以下では、ユーザがスマートデバイス２０から利用したいあるＭＦＰ１０を、特定のＭＦＰ１０と呼ぶ。
【００６０】
先ず、ユーザがスマートデバイス２０に対して、特定のＭＦＰ１０において利用する機能を指定する操作を行う。スマートデバイス２０において、ＵＩ部２１０は、この操作に応じて、図９に例示されるような、ＭＦＰ１０の機能を選択するための機能選択画面４００を、操作部２００４が有する表示部に表示させる（ステップＳ１０）。
【００６１】
図９において、機能選択画面４００は、ＭＦＰ１０のプリント機能１１、コピー機能１２、スキャナ機能１３およびＦＡＸ機能１４から利用したい機能を選択する各ボタン４０１ａ、４０１ｂ、４０１ｃおよび４０１ｄが表示される。ＵＩ部２１０は、各ボタン４０１ａ、４０１ｂ、４０１ｃおよび４０１ｄの何れかの操作による、機能の選択入力を待機する（ステップＳ１１）。
【００６２】
ＵＩ部２１０は、各ボタン４０１ａ、４０１ｂ、４０１ｃおよび４０１ｄの何れかが操作されたと判定すると、処理をステップＳ１２に移行させる。ステップＳ１２で、ＵＩ部２１０は、各ボタン４０１ａ、４０１ｂ、４０１ｃおよび４０１ｄの何れが操作されたか、すなわち、ＭＦＰ１０のプリント機能１１、コピー機能１２、スキャナ機能１３およびＦＡＸ機能１４のうち何れが選択されたかを判定する。ＵＩ部２１０は、ボタン４０１ｂ〜４０１ｄの何れかが操作され、プリント機能１１以外が選択されたと判定した場合、処理をステップＳ１４に移行させる。
【００６３】
一方、ＵＩ部２１０は、ボタン４０１ａが操作され、プリント機能１１が選択されたと判定した場合、処理をステップＳ１３に移行させる。ステップＳ１３で、ＵＩ部２１０は、プリント機能１１により印刷を行うファイルを選択するファイル選択画面を、操作部２００４が有する表示部に表示させる。
【００６４】
ファイル選択画面は、スマートデバイス２０が有するストレージ２００７内に記憶されるファイルを選択する画面であってもよいし、通信Ｉ／Ｆ２００５を介して接続されるネットワーク上のファイルサーバなどに記憶されるファイルを選択する画面であってもよい。ＵＩ部２１０は、ユーザにより、ファイル選択画面に対して行われたファイル選択操作により選択されたファイルを読み込んで、例えばＲＡＭ２００２に記憶させる。
【００６５】
次のステップＳ１４で、ＵＩ部２１０は、複数の機種に共通の設定を行うための第１の画面としての共通項目設定画面を、操作部２００４の表示部に表示させる。図１０は、第１の実施形態に係る共通項目設定画面の例を示す。なお、ここでは、説明のため、ステップＳ１２においてプリント機能が選択されたものとする。図１０において、共通項目設定画面４１０は、領域４１１に、各機種に共通して指定可能な共通指定項目を設定するためのボタン４１１ａ、４１１ｂ、４１１ｃ、…が設けられる。終了ボタン４１３は、操作されることで、共通項目設定画面４１０における各種設定の終了を通知する。
【００６６】
また、特定のＭＦＰ１０で利用する機能としてプリント機能が選択されている場合、印刷する画像のプレビュー表示を行うプレビュー画像領域４１２が設けられる。例えば、ＵＩ部２１０は、ステップＳ１３で表示したファイル選択画面で選択されて読み込んだファイルに基づきプレビュー画像を生成し、プレビュー画像領域４１２に表示させる。
【００６７】
共通項目設定画面４１０における第１の設定としての各種設定が終了し、終了ボタン４１３が操作されると、処理がステップＳ１５に移行される。ステップＳ１５で、ＵＩ部２１０は、操作部２００４が有する表示部に対して、図１１に例示されるような、近距離無線通信の開始を促す操作ガイド画面４２０を表示させる。この操作ガイド画面４２０は、上述した共通項目設定画面４１０に対してオーバーラップさせて表示させてもよい。
【００６８】
図１１は、操作ガイド画面４２０に対して、近距離無線通信の開始を促すメッセージ４２１が表示される様子が示されている。この例では、メッセージ４２１は、スマートデバイス２０を特定のＭＦＰ１０の、近距離無線通信を行うための通信位置にかざすように、ユーザに対して促している。特定のＭＦＰ１０の当該通信位置は、第１の実施形態の例では、特定のＭＦＰ１０の筐体に対して貼付されたＩＣタグの位置となり、これは、図６を用いて説明したＮＦＣチップ１０４１の位置に対応する。
【００６９】
スマートデバイス２０のＵＩ部２１０は、ＭＦＰ１０のＩＣタグとの間で行われる近距離無線通信により、ＩＣタグ内の記憶部１０３から通信情報１０５を取得したか否かを判定する（ステップＳ１６）。ＵＩ部２１０は、ＩＣタグから通信情報１０５を取得するまでステップＳ１６の処理を繰り返す（第１の取得手段）。ＵＩ部２１０は、通信情報１０５を取得したと判定した場合、処理をステップＳ１７に移行させる。
【００７０】
ステップＳ１７において、ＵＩ部２１０は、特定のＭＦＰ１０が固有の項目を有しているか否かを判定する。例えば、ＵＩ部２１０は、取得した通信情報１０５に含まれる機種ＩＤに基づき、記憶部２０３に記憶される機器性能情報ＤＢ２０４に対して、当該機種ＩＤに対応する機器性能情報１０４を検索する。また、ＵＩ部２１０は、機器性能情報ＤＢ２０４に複数の機種ＩＤについてそれぞれ機器性能情報１０４が記憶されている場合、この複数の機器性能情報に共通する、設定可能な性能情報を抽出する。
【００７１】
なお、設定可能な性能情報は、機種において実行可能な処理に対する情報を示す処理情報であると考えることができる。ＵＩ部２１０は、機種ＩＤに基づき処理情報を取得する第２の取得手段として機能する。
【００７２】
ＵＩ部２１０は、抽出した複数の機器性能情報に共通する設定可能な性能情報と、近距離無線通信により取得した機種ＩＤに基づき検索された機器性能情報１０４に含まれる設定可能な性能情報とを比較する。ＵＩ部２１０は、この比較の結果、近距離無線通信により取得した機種ＩＤに基づき検索された機器性能情報１０４に含まれる設定可能な性能情報に存在し、複数の機器性能情報に共通する設定可能な性能情報に存在しない設定可能な性能情報を、特定のＭＦＰ１０の固有の項目として取得する。
【００７３】
ＵＩ部２１０は、上述したステップＳ１７で、特定のＭＦＰ１０が固有の項目を有していると判定した場合、処理をステップＳ１８に移行させる。ステップＳ１８で、ＵＩ部２１０は、特定のＭＦＰ１０に固有の項目に対する設定を行うための第２の画面としての固有項目設定画面を、操作部２００４の表示部に表示させる。
【００７４】
図１２および図１３を用いて、固有項目設定画面の例について説明する。ＵＩ部２１０は、特定のＭＦＰ１０が固有の項目を有していると判定した場合に、先ず、当該特定のＭＦＰ１０の固有項目に対する設定を行うか否かの選択を促すアラート表示を、操作部２００４が有する表示部に対して表示させる。
【００７５】
図１２は、このアラート表示４３１が表示された例を示す。この例では、アラート表示４３１は、固有項目設定画面４３０に対してオーバーラップされて表示されている。アラート表示４３１は、固有項目を特定すると共に、固有項目に対する設定を行うか否かの選択を促すメッセージと、当該選択を行うためのボタン４３２ａおよび４３２ｂとが設けられる。この例では、ボタン４３２ａが設定を行う旨を、ボタン４３２ｂが設定を行わない旨がそれぞれ選択される。また、図１２の例では、固有項目設定画面４３０は、共通指定項目を指定するためのボタン４１１ａ、４１１ｂ、４１１ｃ、…が表示され、さらに、固有項目を設定するためのボタン４３３が追加して表示されている。図１２の例では、固有項目として「文書蓄積」が定義されているものとし、ボタン４３３は、「文書蓄積」を行うか否かを設定するボタンであるものとする。
【００７６】
図１３は、アラート表示４３１において例えばボタン４３２ａが操作され、固有項目に対する設定を行う旨が選択された場合の固有項目設定画面４３０の例を示す。図１３の例は、図１２の固有項目設定画面４３０においてアラート表示４３１のボタン４３２ａが操作され、さらに、第２の設定としての固有項目を設定するためのボタン４３３が操作された場合の例であって、固有項目の設定値を選択する選択部４３４と、印刷ボタン４４０とが表示されている。
【００７７】
ユーザは、印刷ボタン４４０を操作することで、ＭＦＰ１０におけるプリント機能が実行され、選択したファイルに基づく印刷が行われる。すなわち、スマートデバイス２０において、ネットワーク接続部２０１は、ステップＳ１７で取得された通信情報１０５に従い、ネットワーク３０を介したＭＦＰ１０との通信を確立する。ＵＩ部２１０は、印刷ボタン４４０の操作に応じて、印刷を行うためのファイルと、印刷指示と、共通項目設定画面４１０において設定された各設定情報とを、ネットワーク３０を介してＭＦＰ１０に送信する。ＭＦＰ１０は、ネットワーク３０を介して受信したこれらファイルや情報に従い、印刷を実行する。
【００７８】
また、ＵＩ部２１０は、上述のステップＳ１７で、特定のＭＦＰ１０が固有の項目を有していないと判定した場合、例えば操作部２００４の表示部に対して印刷指示を行う印刷ボタンを表示させる。ユーザは、この印刷ボタンを操作することで、上述と同様にして、ＭＦＰ１０におけるプリント機能が実行され、選択したファイルに基づく印刷が行われる。
【００７９】
なお、図１３の例では、ＵＩ部２１０は、固有項目設定画面４３０において、選択部４３４を、デフォルトで「しない」が選択された状態としている。この場合、ＭＦＰ１０は、例えば、選択部４３４に対する操作を行わずに印刷ボタン４４０が操作されると、固有項目として定義される「文書蓄積」の動作を実行せずにプリント機能を実行する。勿論、ＭＦＰ１０は、選択部４３４に対して「しない」を指示する操作が行わ、その後、印刷ボタン４４０が操作された場合にも、「文書蓄積」の動作を実行せずにプリント機能を実行する。一方、ＭＦＰ１０は、選択部４３４に対して「する」を指示する操作が行われた後に印刷ボタン４４０が操作されることで、プリント機能を実行すると共に、「文書蓄積」の動作を実行する。
【００８０】
図１３の例では、ＵＩ部２１０は、選択部４３４をデフォルトで「しない」が選択された状態としているが、これはこの例に限定されない。ＵＩ部２１０は、選択部４３４を、例えばデフォルトで「する」が選択された状態としてもよい。この場合には、ＭＦＰ１０は、選択部４３４に対して操作が行わなれない状態で印刷ボタン４４０が操作されるか、または、選択部４３４に対して「する」を指示する操作が行われた後に印刷ボタン４４０が操作されることで、プリント機能と「文書蓄積」の動作とを実行する。一方、ＭＦＰ１０は、選択部４３４に対して「しない」を指示する操作が行われることで、印刷ボタン４４０が操作された際に「文書蓄積」の動作を実行しない。
【００８１】
さらに、ＵＩ部２１０は、選択部４３４を、デフォルトで「する」および「しない」の何れも選択されていない状態としてもよい。この場合には、ＵＩ部２１０は、例えばデフォルト状態で印刷ボタン４４０を無効としておき、選択部４３４に対して「する」および「しない」のうち何れかが操作されることで、印刷ボタン４４０を有効とすることが考えられる。
【００８２】
このように、第１の実施形態によれば、スマートデバイス２０を特定のＭＦＰ１０における通信位置（ＩＣタグ位置）に近接させて近距離無線通信により機種ＩＤを取得する通信を行うことで、当該特定のＭＦＰ１０が固有の項目を有しているか否かを判定することができる。そして、固有の項目を有していると判定された場合に、その機能の設定操作を実行することができる。そのため、第１の実施形態によれば、スマートデバイス２０とＭＦＰ１０との間のネットワーク３０を介した接続の確立を待機すること無く、特定のＭＦＰ１０の固有の項目の確認および設定を行うことが可能となり、ユーザの利便性が向上される。
【００８３】
ここで、上述したステップＳ１５において操作ガイド画面４２０に従いスマートデバイス２０を特定のＭＦＰ１０のＩＣタグ位置にかざした際の処理について説明する。
【００８４】
先ず、図１４を用いて、第１の実施形態に係るスマートデバイス２０とＭＦＰ１０との接続処理の概要について説明する。第１の実施形態では、スマートデバイス２０からネットワーク３０を介して特定のＭＦＰ１０を利用する。図１４において、特定のＭＦＰ１０は、ネットワーク３０に対して、アクセスポイント（ＡＰ）３１において予め接続され、通信可能な状態となっているものとする（ステップＳ１）。
【００８５】
この状態において、ユーザは、スマートデバイス２０から特定のＭＦＰ１０を利用する場合、図１１に示した操作ガイド画面４２０のメッセージ４２１に従い、スマートデバイス２０を、ＭＦＰ１０における、上述した近距離無線接続部１０２および記憶部１０３を含むＩＣタグの位置にかざす。これにより、スマートデバイス２０とＩＣタグとの間で近距離無線通信が行われる。
【００８６】
この近距離無線通信により、スマートデバイス２０は、ＩＣタグに含まれる記憶部１０３に記憶される通信情報１０５を取得する（ステップＳ２）。スマートデバイス２０は、ステップＳ２で取得した通信情報１０５に含まれる、ＳＳＩＤ、暗号化方式およびパスワードを示す情報を用いて、アクセスポイント３１と接続する（ステップＳ３）。これにより、スマートデバイス２０は、ＭＦＰ１０とネットワーク３０を介して通信可能な状態となる。
【００８７】
図１５は、図１４のスマートデバイス２０とＭＦＰ１０とがネットワーク３０を介した接続を行う際の一例の接続シーケンスを示す。図１５において、上述したように、ＭＦＰ１０は、ネットワーク３０に対してアクセスポイント３１によって既に接続されているものとする（ステップＳ１００）。
【００８８】
ユーザは、スマートデバイス２０をＭＦＰ１０に対してネットワーク３０を介して接続させる場合に、先ず、スマートデバイス２０をＭＦＰ１０に貼付される、近距離無線通信を行うＩＣタグ（以下、単にＩＣタグと呼ぶ）上にかざす。これにより、スマートデバイス２０の近距離無線接続部２０２とＩＣタグとの間で近距離無線通信が開始される。
【００８９】
近距離無線接続部２０２は、この通信により、ＩＣタグに含まれる近距離無線接続部１０２に対して、通信情報１０５を要求する（ステップＳ１０１）。近距離無線接続部１０２は、この要求に応じて、記憶部１０３から通信情報１０５を読み出して、読み出した通信情報１０５を近距離無線通信によりスマートデバイス２０に送信する（ステップＳ１０２）。この通信情報１０５は、スマートデバイス２０において、近接無線接続部２０２に受信され、全体制御部２００を介してネットワーク接続部２０１に渡される。
【００９０】
スマートデバイス２０において、ネットワーク接続部２０１は、近接無線接続部２０２から受け取った通信情報１０５に含まれるＳＳＩＤに基づき、ネットワーク３０におけるアクセスポイント３１を特定する（ステップＳ１０３）。そして、ネットワーク接続部２０１は、通信情報１０５から暗号化方式およびパスワードを取得し、アクセスポイント３１に接続する（ステップＳ１０４）。以上の処理により、スマートデバイス２０がＭＦＰ１０と同一のネットワーク３０に接続した状態となる（ステップＳ１０５）。
【００９１】
スマートデバイス２０は、図１５におけるステップＳ１０３以降の処理と、図８のステップＳ１６以降の処理とを並行して実行することができる。これにより、例えば、ユーザがスマートデバイス２０に対して上述した各設定操作を行っている間に、スマートデバイス２０と特定のＭＦＰ１０との間のネットワーク３０を介した通信を確立することが可能である。
【００９２】
（第１の実施形態の変形例）
次に、第１の実施形態の第１の変形例について説明する。上述では、特定のＭＦＰ１０の機器性能情報が、スマートデバイス２０が有する記憶部２０３内の機器性能情報ＤＢ２０４に既に記憶されているものとして説明した。第１の実施形態の第１の変形例は、特定のＭＦＰ１０の機器性能情報がスマートデバイス２０が有する機器性能情報ＤＢ２０４に記憶されていない場合の処理の例である。
【００９３】
第１の実施形態の変形例の説明に先んじて、理解を容易とするために、図１６を用いて、特定のＭＦＰ１０の機器性能情報が、スマートデバイス２０内の機器性能情報ＤＢ２０４に既に記憶されている場合の処理について説明する。なお、以下において、煩雑さを避けるために、スマートデバイス２０の各部における動作を、スマートデバイス２０の動作として記述する。
【００９４】
先ず、スマートデバイス２０は、図９に示した機能選択画面４００を表示部に表示させる。スマートデバイス２０は、例えばプリント機能を選択するボタン４０１ａが操作された場合、ファイル選択画面を表示部に表示させ、印刷を行う原稿の選択を促す。スマートデバイス２０は、ファイル選択画面に対する操作に応じて原稿が選択された後、図１０の共通項目設定画面４１０を表示部に表示させ、共通項目設定画面４１０に対するユーザ操作に応じて、印刷パラメータを設定する（ステップＳ２００）。
【００９５】
スマートデバイス２０は、共通項目設定画面４１０における印刷パラメータの設定が終了した後、図１１に示した操作ガイド画面４２０を表示部に表示させる。この表示に応じて、ユーザが特定のＭＦＰ１０のＩＣタグ位置に対してスマートデバイス２０をかざすと（ステップＳ２０１）、スマートデバイス２０とＭＦＰ１０のＩＣタグとの間で近距離無線通信が開始される。この近距離無線通信により、スマートデバイス２０は、ＩＣタグ内の記憶部１０３からの通信情報１０５の読み取りを要求する（ステップＳ２０２）。この要求に応じて、通信情報１０５は、ＭＦＰ１０に貼付されたＩＣタグの記憶部１０３から読み出されてＩＣタグから送信され、スマートデバイス２０に取得される（ステップＳ２０３）。
【００９６】
スマートデバイス２０は、ステップＳ２０３で取得した通信情報１０５から機種ＩＤを抽出し、抽出した機種ＩＤに対応する機器性能情報１０４を機器性能情報ＤＢ２０４に対して検索する。当該機種ＩＤに対応する機器性能情報１０４が機器性能情報ＤＢ２０４にて検索された場合、検索された機器性能情報１０４が固有の項目を有しているか否かを、図８のステップＳ１７の処理に従い判定する。スマートデバイス２０は、抽出した機種ＩＤに基づき、固有の項目を有していると判定した場合、図１２に示したアラート表示４３１および固有項目設定画面４３０を表示部に表示させる（ステップＳ２０４）。この固有項目設定画面４３０に対する操作に応じて、各固有の項目が設定される（ステップＳ２０５）。
【００９７】
また、スマートデバイス２０は、ステップＳ２０３で取得した通信情報１０５に基づき、図１５を用いて説明したようにして、特定のＭＦＰ１０と共通のネットワーク３０に接続する（ステップＳ２０６）。そして、スマートデバイス２０は、ネットワーク３０を介して、特定のＭＦＰ１０に対して印刷要求を送信する（ステップＳ２０７）。ＭＦＰ１０は、この印刷要求に応じて、印刷を行う（ステップＳ２０８）。
【００９８】
図１７は、第１の実施形態の第１の変形例に係る、特定のＭＦＰ１０の機器性能情報がスマートデバイス２０が有する機器性能情報ＤＢ２０４に記憶されていない場合の処理の例を示す。
【００９９】
先ず、スマートデバイス２０は、上述のステップＳ２００と同様にして、ステップＳ３００で、機能選択画面４００を表示部に表示させ、例えばプリント機能を選択するボタン４１１ａが操作された場合、ファイル選択画面を表示部に表示させ、印刷を行う原稿の選択を促す。スマートデバイス２０は、ファイル選択画面に対する操作に応じて原稿が選択された後、図１０の共通項目設定画面４１０を表示部に表示させ、共通項目設定画面４１０に対するユーザ操作に応じて、印刷パラメータを設定する。
【０１００】
スマートデバイス２０は、共通項目設定画面４１０における印刷パラメータの設定が終了した後、図１１に示した操作ガイド画面４２０を表示部に表示させる。この表示に応じて、ユーザが特定のＭＦＰ１０のＩＣタグ位置に対してスマートデバイス２０をかざすと（ステップＳ３０１）、スマートデバイス２０とＭＦＰ１０のＩＣタグとの間で近距離無線通信が開始される。この近距離無線通信により、スマートデバイス２０は、ＩＣタグ内の記憶部１０３から、通信情報１０５を取得する（ステップＳ３０２、ステップＳ３０３）。
【０１０１】
スマートデバイス２０は、ステップＳ３０３で取得した通信情報１０５から機種ＩＤを抽出し、抽出した機種ＩＤに対応する機器性能情報１０４を機器性能情報ＤＢ２０４に対して検索する。当該機種ＩＤに対応する機器性能情報１０４が機器性能情報ＤＢ２０４にて検索されなかった場合、スマートデバイス２０は、ステップＳ３０３で取得した通信情報１０５に基づき、図１５を用いて説明したようにして、特定のＭＦＰ１０と共通のネットワーク３０に接続し（ステップＳ３０４）、ＭＦＰ１０に対して機器性能情報１０４を要求する（ステップＳ３０５）。ＭＦＰ１０は、この要求に応じて、例えばＲＯＭ１００１やＨＤＤ１０２０に記憶される機器性能情報１０４を、ネットワーク３０を介してスマートデバイス２０に送信する（ステップＳ３０６）。
【０１０２】
スマートデバイス２０は、ＭＦＰ１０から送信された機器性能情報１０４を取得し、取得した機器性能情報１０４を、上述したステップＳ３０３で取得した通信情報１０５に含まれる機種ＩＤと関連付けて、例えば記憶部２０３内の機器性能情報ＤＢ２０４に保存する（ステップＳ３０７）。
【０１０３】
スマートデバイス２０は、ＭＦＰ１０から取得した機器性能情報１０４を機種ＩＤと関連付けて機器性能情報ＤＢ２０４に保存すると、当該機種ＩＤに基づき、当該機種ＩＤに関連付けられた機器性能情報１０４が固有の項目を有しているか否かを、図８のステップＳ１７の処理に従い判定する。スマートデバイス２０は、固有の項目を有していると判定した場合、図１２に示したアラート表示４３１および固有項目設定画面４３０を表示部に表示させる（ステップＳ３０８）。この固有項目設定画面４３０に対する操作に応じて、各固有の項目が設定される（ステップＳ３０９）。
【０１０４】
上述のステップＳ３０４において、スマートデバイス２０は、特定のＭＦＰ１０とネットワーク３０を介して接続されている。そこで、スマートデバイス２０は、ネットワーク３０を介して、特定のＭＦＰ１０に対して印刷要求を送信する（ステップＳ３１０）。ＭＦＰ１０は、この印刷要求に応じて、印刷を行う（ステップＳ３１１）。
【０１０５】
このように、第１の実施形態の第１の変形例によれば、スマートデバイス２０が特定のＭＦＰ１０の機器性能情報１０４を予め記憶していない場合でも、特定のＭＦＰ１０に固有の項目の設定を行い、印刷を指示することができる。
【０１０６】
（第１の実施形態の第２の変形例）
次に、第１の実施形態の第２の変形例について説明する。上述した第１の実施形態による処理は、例えば図９に示される機能選択画面４００から開始される独立したアプリケーションソフトウェア（以下、アプリと呼ぶ）により実行されるように説明したが、これはこの例に限定されない。すなわち、第１の実施形態による処理は、他のアプリから呼び出して実行させることも可能である。
【０１０７】
図１８は、スマートデバイス２０におけるソフトウェアのアーキテクチャの例を示す。ＯＳ(Operating  System)５００の上位層がライブラリ５０１とされ、ライブラリ５０１の上位層に、各アプリＡ、Ｂ、Ｃ、…が含まれるアプリケーション層５０２が構成される。各アプリＡ、Ｂ、Ｃ、…は、他のアプリの機能を利用する場合に、機能を利用する他のアプリの一部、例えば、利用する機能を含む部分に対する起動要求を、ライブラリ５０１を介してＯＳ５００に渡す。ＯＳ５００は、この要求に応じて、ライブラリ５０１を介して当該他のアプリの一部を起動させる。
【０１０８】
例えば、第１の実施形態により処理を実行するアプリをアプリＡとし、他のアプリＢから特定のＭＦＰ１０を利用した印刷を行う場合について考える。この場合、先ず、アプリＡを、ＭＦＰ１０における印刷をネットワーク３０を介して実行するアプリとして、ＯＳ５００およびライブラリ５０１に対して予め登録しておく。アプリＢにおいて、例えば、文書の印刷を選択した場合、アプリＢから出力された印刷指示が、ライブラリ５０１を介してＯＳ５００に渡される。ＯＳ５００は、受け取った印刷指示を、登録されているアプリＡに渡す。
【０１０９】
アプリＡは、アプリＢからの印刷指示を受け取ると、例えば上述した図８のステップＳ１４に従い、図１０に示される共通項目設定画面４１０をスマートデバイス２０の表示部に表示させる。以降、アプリＡは、図８のステップＳ１５以降の処理を実行し、印刷を行う特定のＭＦＰ１０から通信情報１０５を取得して固有項目の有無を判定し、さらに、ネットワーク３０を介した特定のＭＦＰ１０との通信を確立させる。特定のＭＦＰ１０が固有項目を有する場合には、アプリＡは、図１２のアラート表示４３１や、固有項目設定画面４３０の表示を行う。アプリＡは、ユーザ操作による各種印刷パラメータの設定の後、印刷指示をＯＳ５００に渡す。
【０１１０】
この第１の実施形態の第２の変形例のような構成とすることで、スマートデバイス２０に搭載される様々なアプリから、スマートデバイス２０とネットワーク３０を介して接続される特定のＭＦＰ１０の機能を容易に利用することが可能となり、ユーザの利便性が向上する。
【０１１１】
（第２の実施形態）
次に、第２の実施形態について説明する。上述した第１の実施形態および各変形例では、特定のＭＦＰ１０の機種ＩＤを含む通信情報１０５を、ＭＦＰ１０に対して外部装置として構成されるＩＣタグに記憶させ、このＩＣタグとスマートデバイス２０との間で近距離無線通信を行うことで、スマートデバイス２０からＭＦＰ１０の機能の利用を可能としていた。これに対して、第２の実施形態では、通信情報１０５を、ＭＦＰ１０に内蔵される記憶部に記憶させ、さらに、近距離無線接続部を、ＭＦＰ１０に内蔵される構成としている。
【０１１２】
図１９は、第２の実施形態に係るＭＦＰの機能を説明するための一例の機能ブロック図である。なお、図１９において、上述した図２と共通する部分には同一の符号を付して、詳細な説明を省略する。
【０１１３】
図１９において、ＭＦＰ１０’は、近距離無線通信を行う近距離無線接続部１０２’と、通信情報１０５が記憶される記憶部１０３とが全体制御部１００に接続されている。また、図１９では、記憶部１０３は、機器性能情報１０４をさらに記憶する。近距離無線接続部１０２’が通信を行うために使用するＮＦＣ  Ｉ／Ｆ１０５１（図２０参照）の実装位置は、ＭＦＰ１０’における、スマートデバイス２０との近距離無線通信が容易な位置が選択される。
【０１１４】
図２０は、第２の実施形態に係るＭＦＰ１０’のハードウェア構成の例を示す。なお、図２０において、上述した図６と共通する部分には同一の符号を付して、詳細な説明を省略する。
【０１１５】
図２０において、ＭＦＰ１０’は、図６のＮＦＣチップ１０４１の代わりにＮＦＣ通信部１０５０およびＮＦＣ  Ｒ／Ｗ１０５１が設けられる。図２０の例では、ＮＦＣ  Ｒ／Ｗ１０５１が操作部１０４０’に設けられている。ＮＦＣ通信部１０５０は、メモリおよび近距離無線通信の通信制御部を含む。ＮＦＣ  Ｒ／Ｗ１０５１は、近距離無線通信を行うためのアンテナを含み、ＮＦＣ通信部１０５０の起動制御やＮＦＣ通信部１０５０が含むメモリに対するデータの読み書きを行う。
【０１１６】
第２の実施形態の構成によれば、ＭＦＰ１０’とスマートデバイス２０は、近距離無線通信により双方向の通信が可能である。例えば、スマートデバイス２０と特定のＭＦＰ１０’との間で近距離無線通信を行った際に、スマートデバイス２０から選択された機能を特定のＭＦＰ１０’に対して通知する。特定のＭＦＰ１０’は、この通知に応じて、自身の全ての機能を示す機器性能情報１０４から、通知された機能に対応する機器性能情報１０４のみを抽出し、近距離無線通信により送信する情報を記憶する近距離通信用記憶領域に記憶する。この近距離通信用記憶領域は、例えば、ＮＦＣ通信部１０５０のメモリを用いることができる。これに限らず、近距離通信用記憶領域として、ＲＡＭ１００２やＨＤＤ１０２０を利用してもよい。
【０１１７】
図２１は、第２の実施形態に係る近距離通信用記憶領域に記憶される情報の例を示す。以下では、スマートデバイス２０においてスキャン機能が選択されたものとして説明する。図２１は、スマートデバイス２０から指示されたスキャン機能の機器性能情報１０４が、通信情報１０５と共に、近距離通信用記憶領域に記憶される例を示している。この、図２１における機器性能情報１０４は、スマートデバイス２０にて選択された機能に対応した情報が、近距離通信用記憶領域に動的にセットされる。
【０１１８】
特定のＭＦＰ１０’は、スマートデバイス２０との近距離無線通信の際に、スマートデバイス２０に対して、近距離通信用記憶領域に記憶される、スキャン機能の機器性能情報１０４と、通信情報１０５とを送信する。一方、スマートデバイス２０は、複数のＭＦＰ１０’に共通の機能を示す機器性能情報１０４を予め記憶しておき、特定のＭＦＰ１０’から送信された機器性能情報１０４と比較して、特定のＭＦＰ１０’から送信された機器性能情報１０４に含まれる固有の項目を示す情報を抽出する。
【０１１９】
このようにすることで、スマートデバイス２０は、複数のＭＦＰ１０に共通の機器性能情報１０４のみを記憶していればよく、記憶部２０３の容量を削減することができる。また、選択された機能の機器性能情報１０４のみを、通信情報１０５と共に送信することで、近距離無線通信による通信情報量を削減することが可能である。
【０１２０】
図２２は、第２の実施形態に係る通信処理の例を示す。ここでは、特定のＭＦＰ１０’におけるスキャン機能をスマートデバイス２０から利用する例について説明する。ユーザは、先ず、特定のＭＦＰ１０’に、スキャン対象の原稿をセットする（ステップＳ４００）。ユーザがスマートデバイス２０に対して所定の操作を行うことにより、スマートデバイス２０において、機能選択画面４００が表示部に表示される。
【０１２１】
スマートデバイス２０は、ユーザがスキャン機能を選択する操作を行うと、操作に応じて、図１０のプリント機能を選択した場合の共通項目設定画面４１０に対応する、スキャン機能に係る共通項目設定画面を表示部に表示させる。スマートデバイス２０は、スキャン機能の共通項目設定画面に対するユーザ操作に応じて、スキャンのパラメータを設定する（ステップＳ４０１）。
【０１２２】
スマートデバイス２０は、スキャン機能の共通項目設定画面におけるスキャンパラメータの設定が終了した後、図１１に示した操作ガイド画面４２０を表示部に表示させる。この表示に応じて、ユーザが特定のＭＦＰ１０’の通信位置（ＮＦＣ  Ｒ／Ｗ１０５１の位置）に対してスマートデバイス２０をかざすと（ステップＳ４０２）、スマートデバイス２０とＭＦＰ１０’のＮＦＣ  Ｒ／Ｗ１０５１との間で近距離無線通信が開始される。この近距離無線通信により、特定のＭＦＰ１０’は、スマートデバイス２０に対して、選択された機能を示す情報を要求する（ステップＳ４０３）。スマートデバイス２０は、この要求に応じて、スキャン機能が選択された旨を示す情報を、近距離無線通信により特定のＭＦＰ１０’に対して送信する（ステップＳ４０４）。
【０１２３】
特定のＭＦＰ１０’は、ステップＳ４０４におけるスマートデバイス２０からの機能の通知に応じて、機器性能情報１０４からスキャン機能に係る機器性能情報１０４のみを抽出して、抽出された当該機器性能情報１０４を近距離通信用記憶領域に記憶する（ステップＳ４０５）。なお、近距離通信用記憶領域には、通信情報１０５が予め記憶されているものとする。
【０１２４】
スマートデバイス２０は、特定のＭＦＰ１０’に対して、近距離無線通信を介して機器性能情報１０４を要求する（ステップＳ４０６）。特定のＭＦＰ１０’は、この要求に応じて、近距離通信用記憶領域に記憶されるスキャン機能の機器性能情報１０４と通信情報１０５とを、近距離無線通信によりスマートデバイス２０に送信する（ステップＳ４０７）。
【０１２５】
スマートデバイス２０は、特定のＭＦＰ１０’から送信されたスキャン機能の機器性能情報１０４と、記憶部２０３に予め記憶されるスキャン機能に係る共通の機器性能情報とを比較して、特定のＭＦＰ１０’がスキャン機能に関して固有の項目を有しているか否かを判定する。スマートデバイス２０は、ＭＦＰ１０’がスキャン機能に関して固有の項目を有していると判定した場合、アラート表示と、スキャン機能に係る固有項目設定画面とを表示部に表示させる（ステップＳ４０８）。この固有項目設定画面４３０に対する操作に応じて、各固有の項目が設定される（ステップＳ４０９）。
【０１２６】
図２３は、第２の実施形態に係る、スキャン機能に係るアラート表示の例を示す。図２３において、共通項目設定画面６３０は、各機種に対して、スキャン機能に関して共通して指定可能な共通指定項目を設定するためのボタン６１１ａ、６１１ｂおよび６１１ｃ、ならびに、ボタン６３３が設けられる。なお、ボタン６３３は、スキャン機能を用いて得られた画像データを保存する際のファイル形式を指定するためのボタンである。例えば、このボタン６３３を操作することで、保存ファイル形式を指定するためのファイル形式選択画面が表示されるようになっている。
【０１２７】
また、図２３の例では、共通項目設定画面６３０に対して、アラート表示６３１がさらに表示されている。ここでは、アラート表示６３１は、ＭＦＰ１０’のスキャン機能に関する固有項目を特定すると共に、固有項目に対する設定を行うか否かの選択を促すメッセージと、当該選択を行うためのボタンとが設けられる。図２３の例では、アラート表示６３１に対して、ＭＦＰ１０’のスキャン機能に関する固有項目として、ファイル形式「ＪＰＥＧ２０００」を選択するか否かが示されている。
【０１２８】
図２３の例では、アラート表示６３１において固有項目すなわちファイル形式「ＪＰＥＧ２０００」を選択する旨の操作がなされると、例えば、ボタン６３３を操作することで表示されるファイル形式選択画面において、ＭＦＰ１０’の機種に固有のファイル形式「ＪＰＥＧ２０００」を選択するための項目が、他の機種に共通のファイル形式の選択項目に対して追加される。
【０１２９】
スマートデバイス２０は、ステップＳ４０７で取得した通信情報１０５に基づき、図１５を用いて説明したようにして、特定のＭＦＰ１０’と共通のネットワーク３０に接続する（ステップＳ４１０）。そして、スマートデバイス２０は、ネットワーク３０を介して、特定のＭＦＰ１０’に対してスキャン動作実行を要求する（ステップＳ４１１）。特定のＭＦＰ１０’は、この動作開始要求に応じて、スキャン動作を実行する（ステップＳ４１２）。
【０１３０】
なお、この第２の実施形態に対し、上述した第１の実施形態の第２の変形例による、他のアプリからの実行を組み合わせることが可能である。
【０１３１】
上述した各実施形態では、スマートデバイス２０は、ＭＦＰ１０やＭＦＰ１０’から近距離無線通信により取得した通信情報１０５を用いて、ネットワーク３０を介してＭＦＰ１０やＭＦＰ１０’との間で通信を行うものとして説明した。これは、この例に限定されず、スマートデバイス２０とＭＦＰ１０やＭＦＰ１０’との間の通信を、ネットワーク３０を介さずに、例えばＷｉＦｉダイレクト（登録商標）やＢｌｕｅｔｏｏｔｈ（登録商標）などの無線通信を用いて行ってもよい。
【０１３２】
また、上述した第１の実施形態および第１の実施形態の各変形例、ならびに、第２の実施形態では、スマートデバイス２０は、画像データに従い画像形成媒体上に画像を形成することで画像データの可視化を行うＭＦＰ１０の機能を利用するものとして説明したが、これはこの例に限定されない。上述した第１の実施形態および第１の実施形態の各変形例、ならびに、第２の実施形態は、スマートデバイス２０から、例えば、画像データを光変調素子を用いて光に変換して被投射媒体に投射することで画像データの可視化を行うプロジェクタの機能を利用する場合にも適用可能である。
【０１３３】
（第３の実施形態）
次に、第３の実施形態について説明する。図２４は、第３の実施形態に係る画像処理システムを概略的に示す。なお、図２４において、上述した図１と共通する部分には同一の符号を付し、詳細な説明を省略する。図２４に示されるように、第３の実施形態は、図１を用いて説明した第１の実施形態に係る画像処理システムにおけるＭＦＰ１０を、プロジェクタ４０に置き換えた例である。プロジェクタ４０は、外部から供給された画像データを投射画像に変換して投射して、被投射媒体上に当該画像データを表示（可視化）する機能を有する画像可視化装置である。
【０１３４】
図２４において、プロジェクタ４０は、画像投射機能４１と音声出力機能４２とを含む
。プロジェクタ４０は、ＬＡＮなどによるネットワーク３０に対して、有線または無線にて通信可能に接続される。スマートデバイス２０’は、上述したスマートデバイス２０に対して音声処理機能が追加されたものである。
【０１３５】
図２５は、第３の実施形態に係るプロジェクタ４０のハードウェア構成の例を示す。プロジェクタ４０は、ＣＰＵ４０００と、ＲＯＭ４００１と、ＲＡＭ４００２と、ストレージ４００３と、通信Ｉ／Ｆ４００４と、外部Ｉ／Ｆ４００５と、操作部４００６とを有する。プロジェクタ４０は、さらに、画像処理部４００７と、駆動部４００８と、ＮＴＳＣ  Ｉ／Ｆ４０１０と、ＶＧＡ  Ｉ／Ｆ４０１１と、オーディオ再生部４０１２とを有する。プロジェクタ４０が有する上述した各部は、バス４０４０により互いに通信可能に接続されている。
【０１３６】
プロジェクタ４０は、さらに、光源４０２０と、照明光学系４０２１と、光変調素子４０２２と、結像光学系４０２３と、スピーカ４１０３とを備える。
【０１３７】
ストレージ４００３は、例えばフラッシュメモリやハードディスクドライブであって、データを不揮発に記憶可能とされている。ＣＰＵ４０００は、ＲＯＭ４００１に予め記憶されたプログラムに従い、ＲＡＭ４００２をワークメモリとして使用して、プロジェクタ４０の動作を制御する。ストレージ４００３は、プロジェクタ４０が動作するための設定データ等を記憶する。ストレージ４００３に、ＣＰＵ４０００を動作させるためのプログラムをさらに記憶させてもよい。
【０１３８】
通信Ｉ／Ｆ４００４は、ＣＰＵ４０００の命令に従い、ネットワーク３０に対する通信を制御する。外部Ｉ／Ｆ４００５は、ＵＳＢなどの、外部機器を接続するためのインターフェイスである。オーディオ再生部４０１２は、バス４０４０を介して供給される音声データをＤ／Ａ変換によりアナログ方式の音声信号に変換し、増幅処理など所定のオーディオ処理を施してスピーカ４０１３を駆動する。なお、図２５の例では、プロジェクタ４０がスピーカ４０１３を内蔵するように示されているが、これはこの例に限定されず、例えばスピーカ４０１３をプロジェクタ４０に外部機器として接続するようにしてもよい。
【０１３９】
ＶＧＡ  Ｉ／Ｆ４０１１は、外部から供給されるＶＧＡ(Video  Graphics  Array)規格に準拠したビデオ信号（以下、ＶＧＡビデオ信号）を入力し、Ａ／Ｄ変換によりＲＧＢ各色のデジタルビデオ信号による画像データに変換してバス４０４０に対して出力する。ＮＴＳＣ  Ｉ／Ｆ４０１０は、外部から供給されるＮＴＳＣ(National  Television  System  Committee)方式のビデオ信号（以下、ＮＴＳＣビデオ信号）をＡ／Ｄ変換し、さらにコンポジット信号をＲＧＢ各色のデジタルビデオ信号による画像データに変換してバス４０４０に対して出力する。なお、プロジェクタ４０が対応可能なビデオ信号の方式は、ＶＧＡ方式およびＮＴＳＣ方式に限られない。
【０１４０】
操作部４００６は、ユーザがこのプロジェクタ４０を操作するための各種の操作子が設けられる。例えば、操作部４００６は、プロジェクタ４０に対して電源のオン／オフを切り替える電源ボタンや、画像データの入力経路を切り替える入力信号切り替えボタンなどのボタンが設けられる。入力信号切り替えボタンは、画像データの入力経路を、例えば、ＶＧＡ  Ｉ／Ｆ４０１１と、ＮＴＳＣ  Ｉ／Ｆ４０１０と、ネットワーク３０（通信Ｉ／Ｆ４００４）と、外部Ｉ／Ｆ４００５とで切り替えるためのボタンである。
【０１４１】
画像処理部４００７は、バス４０４０を介して入力される画像データから投射用画像信号を生成する。駆動部４００８は、画像処理部４００７から入力される投射用画像信号に基づいて、光変調素子４０２２を駆動するための駆動信号を生成する。光変調素子４０２２は、例えば透過型液晶（ＬＣＤ：Liquid  Crystal  Display）を用いることができる。なお、プロジェクタ４０に適用可能な光変調素子の種類は、ＬＣＤに限定されない。光変調素子４０２２としてＬＣＤを用いる場合、駆動部４００８は、画像データに従いＬＣＤの各画素について光の透過のオン、オフを制御する。
【０１４２】
照明光学系４０２１は、例えば複数のレンズを含み、光源４０２０から射出された光を光変調素子４０２２に照射する。光変調素子４０２２は、駆動部４００８による駆動により、照明光学系４０２１から照射された光を画像データに従い変調し、投射画像の光に変換して射出する。結像光学系４０２３は、例えば複数のレンズを含み、光変調素子４０２２からの投射画像の光を被投射媒体４０５０に照射し、被投射媒体４０５０に対して投射画像を拡大投射する。
【０１４３】
ＮＦＣチップ４０３０は、上述した近距離無線通信の機能を有するＩＣタグであって、
メモリと、近距離無線通信を行う通信部とを含む。ＮＦＣチップ４０３０は、プロジェクタ４０に対する外部装置であって、例えばプロジェクタ４０に貼付される。
【０１４４】
図２６は、第３の実施形態に係るプロジェクタ４０の機能を説明するための機能ブロック図である。図２６に示されるように、プロジェクタ４０は、全体制御部４１００と、ネットワーク接続部４１０１と、近距離無線接続部４１０２と、記憶部４１０３と、機器性能情報４１０４と、画像投射部４１１１と、２画面制御部４１１２と、音声処理部４１１３と、画像処理部４１１４とを含む。
【０１４５】
全体制御部４１００は、ＣＰＵ４０００、ＲＯＭ４００１、ＲＡＭ４００２およびストレージ４００３を含む。全体制御部４１００は、ＣＰＵ４０００がＲＯＭ４００１に予め記憶されたプログラムに従い、ストレージ４００３に記憶された設定データを参照してＲＡＭ４００２をワークメモリとして用いて、プロジェクタ４０の全体の動作を制御する。
【０１４６】
画像投射部４１１１は、画像データに基づく画像を投射画像としてプロジェクタ４０の外部に射出する機能を実現する。２画面制御部４１１２は、２つの外部機器から供給された各画像データによる２つの画像を１つの投射画像内に同時に投射するように、各画像データを合成する機能を実現する。例えば、２画面制御部４１１２は、２つの外部機器から供給された各画像データによる各画像を左右に並べて１つの画像とするように、各画像データを合成する。
【０１４７】
なお、以下では、２つの画像を１つの投射画像内に同時に投射する投射方法を２画面表示と呼び、１つの投射画像内に１つの画像を投射する投射方法を１画面表示と呼ぶ。
【０１４８】
音声処理部４１１３は、音声データを、スピーカ４０１３を駆動可能な形式の信号に変換する機能を実現する。例えば、音声処理部４１１３は、音声データをＤ／Ａ変換によりアナログ方式の音声信号に変換してスピーカ４０１３を駆動する。
【０１４９】
画像処理部４１１４は、画像データに対して所定の画像処理を施す。画像処理部４１１４は、例えば、外部機器から供給された画像データに対して、復号処理などの画像処理を施すことができる。
【０１５０】
第３の実施形態では、近距離無線接続部４１０２および記憶部４１０３は、ＮＦＣチップ４０３０内に設けられ、プロジェクタ４０の筐体に貼り付けられている。記憶部４１０３は、スマートデバイス２０がプロジェクタ４０とネットワーク３０を介した通信を行う際に用いる通信情報４１０５が予め記憶される。近距離無線接続部４１０２は、近距離無線通信により受信した要求に従い記憶部４１０３から通信情報４１０５を読み出し、この通信情報４１０５を近距離無線通信の通信相手に送信することができる。
【０１５１】
ユーザがスマートデバイス２０をプロジェクタ４０のＮＦＣチップ４０３０の位置にかざすことで、スマートデバイス２０とＮＦＣチップ４０３０との間で近距離無線通信が行われる。この近距離無線通信により、スマートデバイス２０’は、例えばＮＦＣチップ４０３０の記憶部４１０３に記憶された情報を読み出すことができる。
【０１５２】
ＮＦＣチップ４０３０の記憶部４１０３にはプロジェクタ４０の機種を識別可能な識別情報である機種ＩＤと、スマートデバイス２０がネットワーク３０を介してプロジェクタ４０と通信を行うために用いる通信情報４１０５とを予め記憶させておく。通信情報４１０５は、例えば図４を用いて説明した通信情報１０５の各項目を含む。
【０１５３】
機器性能情報４１０４は、第１の実施形態で説明した機器性能情報１０４に対応するものである。図２７は、第３の実施形態に係る機器性能情報４１０４の例を示す。図２７において、機器性能情報４１０４は、当該プロジェクタ４０の各機能（画像投射機能および音声出力機能）について、設定可能な性能情報が、このプロジェクタ４０を識別する機種ＩＤと関連付けられて示される。この設定可能な性能情報は、プロジェクタ４０の機種毎の情報であって、プロジェクタ４０の機種毎に異なる場合がある。
【０１５４】
図２７の例では、機器性能情報４１０４は、画像投射機能については、設定可能な性能情報として「１画面表示」および「２画面表示」の各項目が定義される。
【０１５５】
次に、第３の実施形態に係るスマートデバイス２０’について説明する。図２８は、第３の実施形態に係るスマートデバイス２０’のハードウェア構成の例を示す。なお、図２８において、上述した図７と共通する部分には同一の符号を付して、詳細な説明を省略する。
【０１５６】
図２８に示されるように、第３の実施形態に係るスマートデバイス２０’は、第１の実施形態によるスマートデバイス２０の構成に対して音声入力部２００８を追加した構成となっている。音声入力部２００８は、例えばマイクロフォンを備え、マイクロフォンから出力されたアナログ方式の音声信号をＡ／Ｄ変換により音声データに変換してバス２０１０に対して出力する。これに限らず、音声入力部２００８は、ストレージ２００７に記憶された音声データを読み出してバス２０１０に出力してもよいし、音声データを合成して出力してもよい。また、音声入力部２００８は、音声データを圧縮符号化する機能をさらに有していてもよい。
【０１５７】
図２９は、第３の実施形態に係るスマートデバイス２０’の機能を示す一例の機能ブロック図である。なお、図２９において、上述した図５と共通する部分には同一の符号を付して、詳細な説明を省略する。図２９に示されるように、第３の実施形態に係るスマートデバイス２０’は、第１の実施形態によるスマートデバイス２０の機能に対して音声データを処理する音声処理部２０５が追加されている。音声処理部２０５は、アナログ方式の音声信号を音声データに変換するＡ／Ｄ変換機能と、音声データを圧縮符号化する機能とを含む。また、第３の実施形態に係るスマートデバイス２０’において、全体制御部２００’およびＵＩ部２１０’は、第１の実施形態によるスマートデバイス２０における全体制御部２００およびＵＩ部２１０に対して機能が若干異なる。
【０１５８】
スマートデバイス２０’は、記憶部２０３の機器性能情報ＤＢ２０４に、プロジェクタ４０の設定可能な機器性能情報４１０４を、１以上の機種のプロジェクタ４０について、機種ＩＤと関連付けて予め記憶する。
【０１５９】
スマートデバイス２０’は、機器性能情報ＤＢ２０４に複数機種のプロジェクタ４０の機器性能情報４１０４が記憶されている場合、記憶されている機器性能情報４１０４に基づき当該複数機種のプロジェクタ４０の機器性能情報４１０４に共通する、設定可能な性能情報を抽出する。また、スマートデバイス２０’は、プロジェクタ４０から近距離無線通信により取得した機種ＩＤに基づき、当該機種ＩＤに関連付けられた機器性能情報４１０４を機器性能情報ＤＢ２０４から検索する。スマートデバイス２０’は、機器性能情報ＤＢ２０４から読み出した機器性能情報４１０４が、複数機種のプロジェクタ４０の機器性能情報に共通する設定可能な性能情報に含まれない、固有の項目の設定可能な性能情報を含んでいる場合、当該固有の項目の設定可能な性能情報を、ＵＩ部２１０’により表示させる。
【０１６０】
スマートデバイス２０’に含まれる、全体制御部２００’、ネットワーク接続部２０１、近距離無線接続部２０２およびＵＩ部２１０’の各機能は、ＣＰＵ２０００上で動作するプログラムにより実現される。このプログラムを、プロジェクタ用アプリケーションプログラム（以下、プロジェクタ用アプリと略称する）と呼ぶ。このプロジェクタ用アプリに、音声処理部２０５の機能をさらに含めてもよい。
【０１６１】
この、第３の実施形態に係るプロジェクタ用アプリは、ＲＯＭ２００１に予め記憶される例に限らず、例えばインターネットなどの通信ネットワークに接続されたコンピュータ上に格納し、通信ネットワーク経由でダウンロードさせることにより提供するように構成してもよい。また、当該プロジェクタ用アプリを、インターネットなどの通信ネットワーク経由で提供または配布するようにしてもよい。
【０１６２】
次に、第３の実施形態に係る処理について、より具体的に説明する。図３０は、第３の実施形態に係るスマートデバイス２０’における一例の処理のフローチャートを示す。ここでは、あるユーザＡが特定のプロジェクタ４０の機能を、ユーザＡが保有するスマートデバイス２０’から利用する場合の例について説明する。
【０１６３】
図３０のフローチャートの処理に先立って、ユーザＡは、スマートデバイス２０’を操作してプロジェクタ用アプリを起動させ、特定のプロジェクタ４０を使用して投射させる画像データが格納されたファイルを、例えばスマートデバイス２０’が有するストレージ２００７内に記憶されたファイルから選択する。
【０１６４】
図３０のフローチャートにおいて、ステップＳ４０で、ＵＩ部２１０’は、複数の機種に共通の設定を行うための共通項目設定画面を、操作部２００４の表示部に表示させる。この共通項目設定画面の例を図３１に示す。図３１において、共通項目設定画面４２００は、各機種に共通して指定可能な共通指定項目を設定するためのボタン４２０１ａおよび４２０１ｂが設けられる。終了ボタン４２０２は、操作されることで、共通項目設定画面４１０における各種設定の終了をＵＩ部２１０’に通知する。
【０１６５】
共通項目設定画面４２００において、ボタン４２０１ａは、スマートデバイス２０’から送信された画像データによる画像の投射表示を指定する画像投射ボタンである。また、ボタン４２０１ｂは、スマートデバイス２０’から送信された音声データによる音をスピーカ４０１３から出力させる指定を行う音声出力ボタンである。これらボタン４２０１ａおよびボタン４２０１ｂは、何れか一方のみを操作してもよいし、両方を操作してもよい。画像投射と音声出力の両方を行う場合、ボタン４２０１ａおよびボタン４２０１ｂの両方を操作する。
【０１６６】
ＵＩ部２１０’は、ボタン４２０１ａおよびボタン４２０１ｂ、ならびに、終了ボタン４２０２に対する操作による、機能の選択入力を待機する（ステップＳ４１）。ＵＩ部２１０’は、機能の選択入力が無いと判定した場合、処理をステップＳ４１に戻す。一方、ＵＩ部２１０’は、ボタン４２０１ａおよび４２０１ｂのうち少なくとも一方が操作され、さらに、終了ボタン４２０２が操作された場合、機能の選択入力が有ったと判定し、処理をステップＳ４２に移行させる。
【０１６７】
例えば、ユーザＡがボタン４２０１ａを操作し、さらに終了ボタン４２０２を操作すると、ＵＩ部２１０’は、機能の選択入力が有ったと判定して、処理をステップＳ４２に移行させる。ステップＳ４２で、ＵＩ部２１０’は、図３２に示されるような、近距離無線通信の開始を促す操作ガイド画面４２１０を操作部２００４の表示部に表示させる。図３２の例では、操作ガイド画面４２１０に近距離無線通信の開始を促すメッセージ４２１１が表示されている。
【０１６８】
スマートデバイス２０’において、ＵＩ部２１０’は、プロジェクタ４０のＩＣタグ（ＮＦＣチップ４０３０）との間で行われる近距離無線通信により、ＩＣタグ内の記憶部４１０３から通信情報４１０５を取得したか否かを判定する（ステップＳ４３）。ＵＩ部２１０’は、ＩＣタグから通信情報４１０５を取得するまでステップＳ４３の処理を繰り返す。
【０１６９】
例えば、ユーザＡがスマートデバイス２０’をプロジェクタ４０のＩＣタグの位置にかざすと、スマートデバイス２０’とＩＣタグとの間で近距離無線通信が行われ、ＵＩ部２１０’は、ＩＣタグ内の記憶部４１０３から通信情報４１０５と機種ＩＤとを取得する。ＵＩ部２１０’は、通信情報４１０５を取得したと判定した場合、処理をステップＳ４４に移行させる。
【０１７０】
ステップＳ４４で、ＵＩ部２１０’は、特定のプロジェクタ４０が固有の項目を有しているか否かを判定する。例えば、ＵＩ部２１０’は、取得した機種ＩＤに基づいて、記憶部２０３に記憶される機器性能情報ＤＢ２０４に対して、当該機種ＩＤに対応する機器性能情報４１０４を検索する。また、ＵＩ部２１０’は、機器性能情報ＤＢ２０４に複数の機種ＩＤについてそれぞれ機器性能情報１０４が記憶されている場合、この複数の機器性能情報に共通する、設定可能な性能情報を抽出する。
【０１７１】
ＵＩ部２１０’は、抽出した複数の機器性能情報に共通する設定可能な性能情報と、近距離無線通信により取得した機種ＩＤに基づき検索された機器性能情報４１０４に含まれる設定可能な性能情報とを比較する。ＵＩ部２１０’は、この比較の結果、近距離無線通信により取得した機種ＩＤに基づき検索された機器性能情報４１０４に含まれる設定可能な性能情報に存在し、複数の機器性能情報に共通する設定可能な性能情報に存在しない設定可能な性能情報を、特定のプロジェクタ４０の固有の項目として取得する。
【０１７２】
ＵＩ部２１０’は、特定のプロジェクタ４０が固有の項目を有していると判定した場合、処理をステップＳ４５に移行させる。ステップＳ４５で、ＵＩ部２１０’は、特定のプロジェクタ４０に固有の項目に対する設定を行うための固有項目設定画面を操作部２００４の表示部に表示させる。このとき、ＵＩ部２１０’は、特定のプロジェクタ４０の固有項目に対する設定を行うか否かの指定を促すアラート表示を操作部２００４の表示部に表示させる。
【０１７３】
図３３は、このアラート表示４２３０が表示された例を示す。ここでは、特定のプロジェクタ４０の固有な項目として、２つの画像を１つの投射画像内に左右に並べて同時に投射する２画面表示を例にとって説明する。図３３の例では、アラート表示４２３０が、ボタン４２０１ａが操作状態（図中にて斜線を付して示す）となっている共通項目設定画面４２００’に対してオーバーラップされて表示されている。アラート表示４２３０は、２画面表示を設定するか否かを指定するボタン４２３１ａおよび４２３１ｂが設けられている。
【０１７４】
第１の例として、アラート表示４２３０において２画面表示を設定しない（１画面表示を行う）場合について説明する。特定のプロジェクタ４０を１つのスマートデバイス２０’からのみ利用する場合、ユーザＡは、例えば、ボタン４２３１ｂを操作して２画面表示を設定しない旨を指定する。この場合、ＵＩ部２１０’は、図３４に示されるような、共通項目設定画面４２００’を操作部２００４の表示部に表示する。この共通項目設定画面４２００’は、図３１に示した共通項目設定画面４２００における終了ボタン４２０２に代えて投射ボタン４２２１が設けられている。
【０１７５】
共通項目設定画面４２００’に対して、ユーザＡが、画像投射を指定するボタン４２０１ａが操作された状態で投射ボタン４２２１を操作したものとする。この場合、スマートデバイス２０’のネットワーク接続部２０１は、取得している通信情報４１０５に従い、ネットワーク３０を介したプロジェクタ４０との通信を確立する。通信が確立されると、ＵＩ部２１０’は、先に選択されたファイルに格納される、投射させる画像データを圧縮符号化して、ネットワーク接続部２０１により通信Ｉ／Ｆ２００５から特定のプロジェクタ４０に送信する。画像データが静止画像の場合、圧縮符号化方式としては、ＪＰＥＧ(Joint  Photographic  Experts  Group)方式を用いることができる。
【０１７６】
また、ＵＩ部２１０’は、先に選択された投射させる画像データが格納されるファイルのデータを操作部２００４の表示部に表示させることができる。例えば、ＵＩ部２１０’は、当該ファイルに格納される画像データの表示サイズを縮小して操作部２００４の表示部に表示させて、当該画像データによる画像のプレビュー表示を行う。
【０１７７】
特定のプロジェクタ４０は、スマートデバイス２０’から送信された画像データを、ネットワーク接続部４１０１により通信Ｉ／Ｆ４００４から受信する。特定のプロジェクタ４０において、画像投射部４１１１は、受信した画像データの圧縮符号を復号して被投射媒体４０５０に投射する。
【０１７８】
第２の例として、ステップＳ４５のアラート表示４２３０において２画面表示を設定した場合について、図３０のフローチャートを参照しながら説明する。ここでは、上述した処理によりユーザＡのスマートデバイス２０’から送信された画像データによる画像（投射画像＃１とする）が既に投射されているものとして説明する。一例として、ユーザＢが、自身が保有するスマートデバイス２０’（以下、他のスマートデバイス２０’と呼ぶ）を使用して、他のスマートデバイス２０’に記憶されたファイルに格納される画像データによる画像（投射画像＃２とする）を特定のプロジェクタ４０から投射表示する場合について説明する。
【０１７９】
この場合、ユーザＢが２画面表示を設定することで、プロジェクタ４０は、１つの投射画像内に投射画像＃１と投射画像＃２とを同時に（例えば水平方向に並べて）投射することができる。なお、ユーザＢが１画面表示を設定した場合には、プロジェクタ４０は、投射する画像を既に投射されている投射画像＃１から投射画像＃２に切り替える。
【０１８０】
図３０のフローチャートの処理に先立って、ユーザＢが他のスマートデバイス２０’を操作してプロジェクタ用アプリを起動させ、プロジェクタ４０を使用して投射させる画像データが格納されるファイルを選択する。
【０１８１】
以降、他のスマートデバイス２０’において、上述したステップＳ４０〜ステップＳ４５の処理が同様にして実行される。すなわち、ステップＳ４０で、他のＵＩ部２１０’は、共通項目設定画面４２００を表示させ、ステップＳ４１で機能の選択入力がなされたと判定すると、次のステップＳ４２で操作ガイド画面４２１０を表示させる。この操作ガイド画面４２１０の表示に応じて他のスマートデバイス２０’が特定のプロジェクタ４０のＩＣタグの位置にかざされることで、他のスマートデバイス２０’とプロジェクタ４０のＩＣタグとの間で近距離無線通信が行われる。この近距離無線通信により、他のスマートデバイス２０’のＵＩ部２１０’は、ＩＣタグ内の記憶部４１０３から通信情報４１０５および機種ＩＤを取得する（ステップＳ４３）。
【０１８２】
他のＵＩ部２１０’は、取得した機種ＩＤに基づき機器性能情報ＤＢ２０４を検索して、特定のプロジェクタ４０について固有の項目の有無を判定する（ステップＳ４４）。この場合、特定のプロジェクタ４０は、固有の項目を有しているため、他のＵＩ部２１０’は、特定のプロジェクタ４０の固有項目である２画面表示の設定を行うか否かの指定を促すアラート表示４２３０を表示させる（ステップＳ４５）。
【０１８３】
このアラート表示４２３０に対し、ユーザＢは、自身が選択したファイルによる投射画像＃２を、ユーザＡにより既に投射された投射画像＃１と共に投射させるために、ボタン４２３１ａを操作し、２画面表示の設定を指定する。他のＵＩ部２１０’は、このボタン４２３１ａの操作に応じて、図３５に例示される、投射位置選択画面４２４０を操作部２００４の表示部に表示させる。
【０１８４】
図３５の例では、投射位置選択画面４２４０は、投射画像の２画面表示における投射位置を指定するためのボタン４２４１ａおよび４２４１ｂと、投射ボタン４２４２とが設けられている。ボタン４２４１ａは、投射画像の投射位置を２画面表示における左側（画面(１)）に指定する。また、ボタン４２４１ｂは、投射画像の投射位置を２画面表示における右側（画面(２)）に指定する。
【０１８５】
例えば、ユーザＢがボタン４２４１ｂを操作して投射画像の投射位置として右側を指定し、投射ボタン４２４２を操作すると、他のスマートデバイス２０’のネットワーク接続部２０１は、ステップＳ４３で取得した通信情報４１０５に従い特定のプロジェクタ４０との通信を確立する。通信が確立されると、他のスマートデバイス２０’のＵＩ部２１０’は、ネットワーク接続部２０１により、指定された投射画像の投射位置（この例では右側）を示す情報を含めた２画面表示コマンドを特定のプロジェクタ４０へ送信する。２画面表示コマンドは、プロジェクタ４０に受信される。
【０１８６】
特定のプロジェクタ４０において、２画面制御部４１１２は、受信した２画面表示コマンドに従い、画像投射部４１１１による画像の投射を２画面表示による投射に切り替える。例えば、２画面制御部４１１２は、当該２画面表示コマンドに従い、現在投射されている投射画像＃１の画像データによる画像を縮小し、縮小された画像が左側に配置された２画面表示用画像データを生成する。画像投射部４１１１は、この２画面表示用画像データによる画像を、被投射媒体４０５０に投射する。投射された画像は、左側に投射画像＃１が配置され、右側が例えば空白の画像となる。
【０１８７】
次に、他のスマートデバイス２０’のＵＩ部２１０’は、先に選択されたファイルに格納される、投射される画像データを圧縮符号化して特定のプロジェクタ４０に送信する。また、他のＵＩ部２１０’は、当該ファイルに格納される画像データの表示サイズを縮小して操作部２００４の表示部に表示させて、当該画像データによる画像のプレビュー表示を行う。
【０１８８】
特定のプロジェクタ４０において、画像処理部４１１４は、他のスマートデバイス２０’から送信された画像データを受信すると、受信した画像データの圧縮符号を復号し、復号した画像データを２画面制御部４１１２に渡す。２画面制御部４１１２は、画像処理部４１１４から渡された画像データによる画像を縮小し、縮小した画像が投射画像＃１の画像の右側に配置されるように、当該画像データを２画面表示用画像データに対して合成し、２画面表示用画像データを更新する。画像投射部４１１１は、この更新された２画面表示画像データを被投射媒体４０５０に投射する。投射された画像は、左側に投射画像＃１が配置され、右側に、他のスマートデバイス２０’から送信された画像データによる投射画像＃２が配置された画像となる。
【０１８９】
なお、スマートデバイス２０’は、共通項目設定画面４２００（ステップＳ４０）や共通項目設定画面４２００’（ステップＳ４５）において音声出力を指定するボタン４２０１ｂが操作されている場合、音声データを特定のプロジェクタ４０に送信することができる。例えば、スマートデバイス２０’は、マイクロフォンを内蔵し、音をマイクロフォンにより収音する。マイクロフォンは、収音した音をアナログ方式の音声信号に変換して音声入力部２００８に供給する。
【０１９０】
スマートデバイス２０’において、音声処理部２０５は、音声入力部２００８に供給された音声信号をＡ／Ｄ変換により音声データに変換する。音声処理部２０５は、さらに、変換された音声データを圧縮符号化してＵＩ部２１０’に渡す。音声データの圧縮符号化方式としては、例えばＭＰ３(Moving  Picture  Experts  Group-1  Audio  Layer-3)を適用できる。ＵＩ部２１０’は、圧縮符号化された音声データを、ネットワーク接続部２０１により特定のプロジェクタ４０に送信する。
【０１９１】
特定のプロジェクタ４０は、スマートデバイス２０’から送信された音声データを、ネットワーク接続部４１０１により通信Ｉ／Ｆ４００４から受信する。特定のプロジェクタ４０において、音声処理部４１１３は、受信した音声データの圧縮符号を復号し、さらに、復号された音声データをＤ／Ａ変換によりアナログ方式の音声信号に変換する。このアナログ方式の音声信号がオーディオ再生部４０１２により増幅処理され、スピーカ４０１３に供給される。
【０１９２】
例えば、共通項目設定画面４２００（ステップＳ４０）や共通項目設定画面４２００’（ステップＳ４５）において画像投射および音声出力が共に指定されている場合、ユーザは、スマートデバイス２０’から送信した画像データによる画像を特定のプロジェクタ４０により被投射媒体４０５０に投射させながら、例えばスマートデバイス２０’が内蔵するマイクロフォンに収音された音声を、当該特定のプロジェクタ４０のスピーカ４０１３から出力することができる。
【０１９３】
また、ユーザＡが自身のスマートデバイス２０’において画像投射を指定し、ユーザＢが自身の他のスマートデバイス２０’において音声出力を指定するようにもできる。この場合には、特定のプロジェクタ４０は、スマートデバイス２０’から送信された画像データによる画像を被投射媒体４０５０に投射し、他のスマートデバイス２０’から送信された音声データによる音声をスピーカ４０１３から出力することができる。
【０１９４】
（第４の実施形態）
次に、第４の実施形態について説明する。第４の実施形態は、上述した第２の実施形態に対応するもので、通信情報４１０５をプロジェクタ４０に内蔵される記憶部に記憶させ、さらに、近距離無線接続部がプロジェクタ４０に内蔵される構成としている。なお、第４の実施形態では、第３の実施形態で説明したスマートデバイス２０’をそのまま適用できる。
【０１９５】
図３６は、第４の実施形態に係るプロジェクタ４０’のハードウェア構成の例を示す。なお、図３６において、上述した図２５と共通する部分には同一の符号を付して、詳細な説明を省略する。図３６において、プロジェクタ４０’は、図２５のＮＦＣチップ４０３０の代わりにＮＦＣ通信部４０６１およびＮＦＣ  Ｒ／Ｗ４０６０が設けられる。ＮＦＣ通信部４０６１は、メモリおよび近距離無線通信の通信制御部を含む。ＮＦＣ  Ｒ／Ｗ４０６０は、近距離無線通信を行うためのアンテナを含み、ＮＦＣ通信部４０６１の起動制御やＮＦＣ通信部４０６１が含むメモリに対するデータの読み書きを行う。
【０１９６】
図３７は、第４の実施形態に係るプロジェクタ４０’の機能を説明するための機能ブロック図である。なお、図３７において、上述した図２６と共通する部分には同一の符号を付して、詳細な説明を省略する。
【０１９７】
図３７において、プロジェクタ４０’は、近距離無線通信を行う近距離無線接続部４１０２’と、通信情報４１０５が格納される記憶部４１０３とが全体制御部４１００’に接続されている。また、図３７では、記憶部４１０３は、機器性能情報４１０４をさらに記憶する。近距離無線接続部４１０２’が通信を行うために使用するＮＦＣ  Ｉ／Ｆ４０６０の実装位置は、プロジェクタ４０’における、スマートデバイス２０’との近距離無線通信が容易な位置が指定される。
【０１９８】
第４の実施形態の構成によれば、プロジェクタ４０’とスマートデバイス２０’との間で、近距離無線通信により双方向の通信が可能である。スマートデバイス２０’から特定のプロジェクタ４０’に対して機器性能情報の問い合わせを行うと、特定のプロジェクタ４０’は自身の全ての機能を示す機器性能情報４１０４を、近距離無線通信により送信する情報を記憶するための記憶領域である近距離通信用記憶領域に記憶する。また、近距離通信用記憶領域には、通信情報４１０５をさらに記憶してもよい。近距離通信用記憶領域は、ＮＦＣ通信部４０６０が有するメモリを利用することができる。これに限らず、近距離通信用記憶領域として、ＲＡＭ４００２、ストレージ４００３を利用してもよい。
【０１９９】
特定のプロジェクタ４０’は、スマートデバイス２０’との近距離無線通信の際に、スマートデバイス２０’に対して、近距離通信用記憶領域に記憶される機器性能情報４１０４と通信情報４１０５とを送信する。一方、スマートデバイス２０’は、複数のプロジェクタ４０’に共通の機能を示す機器性能情報４１０４を予め記憶しておき、特定のプロジェクタ４０’から送信された機器性能情報４１０４と比較して、特定のプロジェクタ４０’から送信された機器性能情報４１０４に含まれる固有の項目を示す情報を抽出する。
【０２００】
次に、第４の実施形態に係る処理について、図３０のフローチャートを参照しながら説明する。図３０のフローチャートの処理に先立って、ユーザＡが自身が保有するスマートデバイス２０’を操作してプロジェクタ用アプリを起動させ、プロジェクタ４０’により投射させる画像データが格納されるファイルを選択する。
【０２０１】
ステップＳ４０で、ＵＩ部２１０’は、共通項目設定画面４２００を表示させ、ステップＳ４１で機能の選択入力がなされたと判定すると、次のステップＳ４２で操作ガイド画面４２１０を表示させる。この操作ガイド画面４２１０の表示に応じてスマートデバイス２０’が特定のプロジェクタ４０’の近距離無線接続部４１０２’の位置（ＮＦＣ  Ｒ／Ｗ４０６０の位置）にかざされることで、スマートデバイス２０’とプロジェクタ４０’の近距離無線接続部４１０２’との間で近距離無線通信が行われる。この近距離無線通信の際に、特定のプロジェクタ４０’は、近距離通信用記憶領域に記憶される機器性能情報４１０４と通信情報４１０５とをスマートデバイス２０’に送信する。
【０２０２】
ＵＩ部２１０’は、この近距離無線通信により通信情報４１０５および機器ＩＤを取得する（ステップＳ４３）と共に、機器性能情報４１０４を取得する。ＵＩ部２１０’は、取得した機種ＩＤに基づき機器性能情報ＤＢ２０４を検索して、特定のプロジェクタ４０’について固有の項目の有無を判定する（ステップＳ４４）。ＵＩ部２１０’は、固有の項目を有していると判定した場合、特定のプロジェクタ４０’の固有項目である２画面表示の設定を行うか否かの指定を促すアラート表示４２３０を操作部２００４の表示部に表示させる（ステップＳ４５）。
【０２０３】
例えば、ユーザＡがアラート表示４２３０に対して、ボタン４２３１ｂを操作して２画面表示を設定しない旨を指定すると、ＵＩ部２１０’は、共通項目設定画面４２００’を操作部２００４の表示部に表示させる。この共通項目設定画面４２００’に対して、画像投射を指定するボタン４２０１ａが操作された状態で投射ボタン４２２１が操作されると、スマートデバイス２０’のネットワーク接続部２０１は、取得している通信情報４１０５に従い、特定のプロジェクタ４０’との通信を確立する。通信が確立されると、ＵＩ部２１０’は、先に選択されたファイルに格納される、投射させる画像データを圧縮符号化して特定のプロジェクタ４０’に送信する。また、ＵＩ部２１０’は、先に選択されたファイルのデータ、例えば当該ファイルに格納される画像データに基づく画像を操作部２００４の表示部に表示させる。
【０２０４】
特定のプロジェクタ４０’は、スマートデバイス２０’から送信された画像データを受信すると、受信した画像データの圧縮符号を復号し、画像投射部４１１１により投射画像＃１として被投射媒体４０５０に投射する。
【０２０５】
次に、ユーザＢが自身のスマートデバイス２０’（他のスマートデバイス２０’）を使用して、上述の投射画像＃１を投射中の特定のプロジェクタ４０’において２画面表示を行う場合について、図３０のフローチャートを参照しながら説明する。図３０のフローチャートの処理に先立って、ユーザＢが他のスマートデバイス２０’を操作してプロジェクタ用アプリを起動させ、特定のプロジェクタ４０’を使用して投射させる画像データが格納されるファイルを選択する。
【０２０６】
以降、上述と同様にして、他のスマートデバイス２０’は、共通項目設定画面４２００の表示（ステップＳ４０）、機能の選択入力の有無の判定（ステップＳ４１）、操作ガイド画面４２１０の表示（ステップＳ４２）を実行する。他のスマートデバイス２０’は、特定のプロジェクタ４０’の近距離無線接続部４１０２’の位置（ＮＦＣ  Ｒ／Ｗ４０６１の位置）にかざされると、特定のプロジェクタ４０’のＮＦＣ  Ｒ／Ｗ４０６１との間で近距離無線通信を行う。この近距離無線通信の際に、他のスマートデバイス２０’は、特定のプロジェクタ４０’に対して機器性能情報の問い合わせを行う。特定のプロジェクタ４０’は、通信情報４１０５と近距離通信用記憶領域に記憶された機器性能情報４１０４とを他のスマートデバイス２０’へ送信する。他のスマートデバイス２０’は、特定のプロジェクタ４０’から送信された機器性能情報４１０４と通信情報４１０５とを受信して取得する（ステップＳ４３）。
【０２０７】
他のスマートデバイス２０’は、特定のプロジェクタ４０’から送信された機器性能情報４１０４と、記憶部４１０３に予め記憶される共通の機器性能情報とを比較して、特定のプロジェクタ４０’が固有の項目を有しているか否かを判定する（ステップＳ４４）。この例では、他のスマートデバイス２０’は、プロジェクタ４０’が固有の項目として２画面表示機能を有していると判定し、２画面表示の設定を行うか否かの指定を促すアラート表示４２３０を操作部２００４の表示部に表示させる。
【０２０８】
上述と同様に、このアラート表示４２３０に対して２画面表示の設定が指定されると、他のスマートデバイス２０’のＵＩ部２１０’は、投射位置選択画面４２４０を操作部２００４の表示部に表示させる。この投射位置選択画面４２４０に対して、ユーザＢの操作により例えば投射画像の投射位置として右側が指定され、さらに投射が指定されると、他のスマートデバイス２０’は、取得した通信情報４１０５に従い特定のプロジェクタ４０’との通信を確立する。通信が確立されると、他のスマートデバイス２０’のＵＩ部２１０’は、指定された投射画像の投射位置（この例では右側）を示す情報を含めた２画面表示コマンドを特定のプロジェクタ４０’へ送信する。
【０２０９】
特定のプロジェクタ４０’において、２画面制御部４１１２は、２画面表示コマンドに従い、画像投射部４１１１による画像の投射を２画面表示による投射に切り替える。例えば、２画面制御部４１１２は、現在投射されている投射画像＃１の画像データによる画像を縮小し、縮小された画像が左側に配置された２画面表示用画像データを生成し、画像投射部４１１１は、この２画面表示用画像データによる画像を、被投射媒体４０５０に投射する。
【０２１０】
次に、他のスマートデバイス２０’のＵＩ部２１０’は、先に選択されたファイルに格納される画像データを圧縮符号化して特定のプロジェクタ４０’に送信する。また、他のスマートデバイス２０’のＵＩ部２１０’は、当該ファイルに格納される画像データの表示サイズを縮小して操作部２００４の表示部に表示させる。
【０２１１】
特定のプロジェクタ４０’において、画像投射部４１１４は、他のスマートデバイス２０’から送信された画像データを受信して、当該画像データの圧縮符号を復号して２画面制御部４１１２に渡す。２画面制御部４１１２は、画像投射部４１１４から渡された画像データによる画像を縮小し、縮小した画像が投射画像＃１の画像の右側に配置されるように、当該画像データを２画面表示用画像データに対して合成し、２画面表示用画像データを更新する。画像投射部４１１１は、この更新された２画面表示画像データを被投射媒体４０５０に投射する。
【０２１２】
なお、第４の実施形態においても、上述した第３の実施形態と同様にして音声データに係る処理を行うことができる。
【０２１３】
上述した第３の実施形態および第４の実施形態では、スマートデバイス２０’に格納される画像データによる画像をプロジェクタ４０（またはプロジェクタ４０’）から投射表示する場合について説明したが、これはこの例に限定されない。第３の実施形態および第４の実施形態は、例えば、スマートデバイス２０’に格納される画像データを電子黒板等の他の表示装置に送信して当該画像データによる画像を表示させる場合にも同様に適用可能である。
【０２１４】
なお、上述の各実施形態は、本発明の好適な実施の例ではあるがこれに限定されるものではなく、本発明の要旨を逸脱しない範囲において種々の変形による実施が可能である。
【符号の説明】
【０２１５】
１０，１０’  ＭＦＰ
２０，２０’  スマートデバイス
２１  ＵＩ
３０  ネットワーク
３１  アクセスポイント
４０，４０’  プロジェクタ
１００，２００，２００’，４１００，４１００’  全体制御部
１０１，２０１，４１０１  ネットワーク接続部
１０２，１０２’，２０２，４１０２，４１０２’  近距離無線接続部
１０３，２０３，４１０３  記憶部
１０４，４１０４  機器性能情報
１０５，４１０５  通信情報
２０４  機器性能情報ＤＢ
２０５，４１１３  音声処理部
２１０，２１０’  ＵＩ部
４００  機能選択画面
４１０，４２００，４２００’  共通項目設定画面
４２０，４２１０  操作ガイド画面
４３０  固有項目設定画面
４３１，４２３０  アラート表示
５００  ＯＳ
５０１  ライブラリ
５０２  アプリケーション層
１０００，２０００，４０００  ＣＰＵ
１００１，２００１，４００１  ＲＯＭ
１００２，２００２，４００２  ＲＡＭ
１０４１，４０３０  ＮＦＣチップ
１０５０，２００６，４０６０  ＮＦＣ通信部
１０５１，４０６１  ＮＦＣ  Ｒ／Ｗ
２００４  操作部
２００８  音声入力部
４００７  画像処理部
４００８  駆動部
４０１２  オーディオ再生部
４０２２  光変調素子
４１１１  画像投射部
４１１２  ２画面制御部
【先行技術文献】
【特許文献】
【０２１６】
【特許文献１】特開２０１３−２１４８０６号公報
【図１】
2015159533.tif 000003
【図２】
2015159533.tif 000004
【図３】
2015159533.tif 000005
【図４】
2015159533.tif 000006
【図５】
2015159533.tif 000007
【図６】
2015159533.tif 000008
【図７】
2015159533.tif 000009
【図８】
2015159533.tif 000010
【図９】
2015159533.tif 000011
【図１０】
2015159533.tif 000012
【図１１】
2015159533.tif 000013
【図１２】
2015159533.tif 000014
【図１３】
2015159533.tif 000015
【図１４】
2015159533.tif 000016
【図１５】
2015159533.tif 000017
【図１６】
2015159533.tif 000018
【図１７】
2015159533.tif 000019
【図１８】
2015159533.tif 000020
【図１９】
2015159533.tif 000021
【図２０】
2015159533.tif 000022
【図２１】
2015159533.tif 000023
【図２２】
2015159533.tif 000024
【図２３】
2015159533.tif 000025
【図２４】
2015159533.tif 000026
【図２５】
2015159533.tif 000027
【図２６】
2015159533.tif 000028
【図２７】
2015159533.tif 000029
【図２８】
2015159533.tif 000030
【図２９】
2015159533.tif 000031
【図３０】
2015159533.tif 000032
【図３１】
2015159533.tif 000033
【図３２】
2015159533.tif 000034
【図３３】
2015159533.tif 000035
【図３４】
2015159533.tif 000036
【図３５】
2015159533.tif 000037
【図３６】
2015159533.tif 000038
【図３７】
2015159533.tif 000039